(57)【要約】【課題】用紙束の端面が面一に揃えられた状態で、表紙を貼り付け可能な接着部を形成できる製本装置を提供する。【解決手段】前揃え板２３１は、載置面１１０Ａに載置された用紙束８の前端面に接触可能な、上下方向に延びる後面を有する。糊塗布部３４０は、糊塗布領域の範囲内で、用紙束８の前側から後方向に糊を塗布可能である。前揃え板２３１は、用紙束８の前端面に接触することで、用紙束８の前端面を糊塗布領域の範囲内で上下方向に沿って略面一に揃える。糊塗布部３４０は、糊塗布領域の範囲内で糊を塗布することで、前揃え板２３１によって揃えられた用紙束８の前端面に、表紙を貼り付け可能な接着部を形成する。【選択図】図５
2014198442.tif 000002
【特許請求の範囲】
【請求項１】
複数枚の用紙が供給される供給位置に配置されたテーブルであって、供給された前記複数枚の用紙を載置可能な水平方向に延びる載置面を有し、前記載置面に載置された前記複数枚の用紙が前記水平方向に対して直交する上下方向に重ねられる前記テーブルと、
前記載置面に載置された前記複数枚の用紙である用紙束のうちで、前記水平方向のうちの第一方向の端面である用紙束端面に接触可能な、前記上下方向に延びる面部を有する紙揃え手段と、
前記用紙束の前記第一方向の側から、前記上下方向および前記第一方向と直交する第二方向に沿った所定領域の範囲内で、前記第一方向とは反対方向である第三方向に接着剤を塗布可能な塗布手段とを備え、
前記紙揃え手段は、前記用紙束端面に接触することで、前記用紙束端面を前記所定領域の範囲内で前記上下方向に沿って略面一に揃え、
前記塗布手段は、前記所定領域の範囲内で前記接着剤を塗布することで、前記紙揃え手段によって揃えられた前記用紙束端面に、前記用紙束を被覆可能な表紙を貼り付け可能な接着部を形成することを特徴とする製本装置。
【請求項２】
前記塗布手段は、前記所定領域の範囲内で前記接着剤を塗布する場合に、前記用紙束端面に対して前記第二方向に離間した位置に退避した状態から、前記第二方向に沿って前記用紙束端面と対向する位置に移動することを特徴とする請求項１に記載の製本装置。
【請求項３】
前記テーブルに前記複数枚の用紙が供給された場合、前記紙揃え手段によって前記用紙束端面が揃えられた後、前記紙揃え手段を前記用紙束端面から離間させる紙揃え制御手段を備え、
前記塗布手段は、前記紙揃え制御手段によって前記紙揃え手段が前記用紙束端面から離間された後、前記所定領域の範囲内で前記接着剤を塗布することを特徴とする請求項１または２に記載の製本装置。
【請求項４】
前記塗布手段によって前記接着部が形成された後、前記用紙束を前記第一方向に搬送する第一搬送手段と、
前記第一搬送手段によって前記第一方向に搬送された前記用紙束の前記接着部に、前記表紙を貼り付ける表紙貼付手段と
を備えたことを特徴とする請求項１から３のいずれかに記載の製本装置。
【請求項５】
前記表紙貼付手段によって前記接着部に前記表紙が貼り付けられた後、前記用紙束を前記第三方向に搬送する第二搬送手段と、
前記第二搬送手段によって前記第三方向に搬送された前記用紙束を裁断する裁断手段と
を備えたことを特徴とする請求項４に記載の製本装置。
【請求項６】
前記塗布手段の下方向において、前記所定領域の範囲内で塗布された前記接着剤のうち、落下した前記接着剤を受ける部材を設置可能な接着剤受部を備えたことを特徴とする請求項１から５のいずれかに記載の製本装置。
【請求項７】
前記塗布手段は、少なくとも前記用紙束の前記第二方向の長さに亘って、前記第二方向に移動しながら前記所定領域の範囲内で前記接着剤を塗布する可動体であることを特徴とする請求項１から６のいずれかに記載の製本装置。
【請求項８】
前記塗布手段は、
前記水平方向の断面積が下方向に向けて漸減する有底箱状であって、前記接着剤を内部に貯留可能な貯留部と、
少なくとも前記貯留部の下部から前記第三方向に連通し、前記貯留部に貯留された前記接着剤が内部に流入する設置部と、
前記設置部の内部において、前記上下方向に延びる軸を中心に回転する略円筒体であって、前記貯留部に貯留されている前記接着剤が付着可能な外周面を有する塗布ローラと、
前記塗布ローラの外周面を、前記設置部の内部から前記第三方向に露出させる開口である塗布口とを備え、
前記所定領域は、前記塗布口から露出する前記塗布ローラの外周面によって、前記接着剤を塗布可能な領域であることを特徴とする請求項１から７のいずれかに記載の製本装置。
【発明の詳細な説明】
【技術分野】
【０００１】
本発明は、包み製本を行う製本装置に関する。
【背景技術】
【０００２】
従来、用紙束を表紙で包んで冊子を製本する、所謂包み製本を行う製本装置が知られている。例えば、特許文献１に開示の製本装置では、傾斜状態の集積機構で集積された中紙の端面が、ストッパによって揃えられる。集積機構が水平状態に戻された後、中紙は縦搬送路に向けて水平方向に搬送される。表紙供給機構から縦搬送路に供給された二枚の表紙の端面が、中紙の端面に製本テープで貼り付けられる。さらに、カバー供給機構から縦搬送路に供給されたカバーで、二枚の表紙が貼りつけられた中紙が包まれる。
【先行技術文献】
【特許文献】
【０００３】
【特許文献１】特開２００３−２５７５５号公報
【発明の概要】
【発明が解決しようとする課題】
【０００４】
特許文献１に開示の製本装置では、中紙はストッパによって端面が揃えられた後に、傾斜状態から水平状態に姿勢が変化し、さらに水平方向の移動によって位置が変化する。このような中紙の姿勢および位置の変化によって、ストッパによって揃えられた中紙の端面が不整な状態に変化する可能性があった。
【０００５】
本発明の目的は、用紙束の端面が面一に揃えられた状態で、表紙を貼り付け可能な接着部を形成できる製本装置を提供することである。
【課題を解決するための手段】
【０００６】
本発明の一態様に係る製本装置は、テーブルと、紙揃え手段と、塗布手段とを備える。前記テーブルは、複数枚の用紙が供給される供給位置に配置される。前記テーブルは、供給された前記複数枚の用紙を載置可能な水平方向に延びる載置面を有する。前記載置面に載置された前記複数枚の用紙は、前記水平方向に対して直交する上下方向に重ねられる。前記紙揃え手段は、前記載置面に載置された前記複数枚の用紙である用紙束のうちで、前記水平方向のうちの第一方向の端面である用紙束端面に接触可能な、前記上下方向に延びる面部を有する。前記塗布手段は、前記用紙束の前記第一方向の側から、前記上下方向および前記第一方向と直交する第二方向に沿った所定領域の範囲内で、前記第一方向とは反対方向である第三方向に接着剤を塗布可能である。前記紙揃え手段は、前記用紙束端面に接触することで、前記用紙束端面を前記所定領域の範囲内で前記上下方向に沿って略面一に揃える。前記塗布手段は、前記所定領域の範囲内で前記接着剤を塗布することで、前記紙揃え手段によって揃えられた前記用紙束端面に、前記用紙束を被覆可能な表紙を貼り付け可能な接着部を形成する。
【０００７】
これによれば、載置面に載置された用紙束の用紙束端面は、紙揃え手段によって所定領域の範囲内で上下方向に沿って略面一に揃えられる。塗布手段は、所定領域の範囲内で接着剤を塗布することで、用紙束端面に接着部を形成する。したがって、製本装置は、用紙束の用紙束端面が上下方向に沿って略面一に揃えられたのち、用紙束の位置および姿勢を変化させることなく、表紙を貼り付け可能な接着部を形成できる。
【０００８】
前記塗布手段は、前記所定領域の範囲内で前記接着剤を塗布する場合に、前記用紙束端面に対して前記第二方向に離間した位置に退避した状態から、前記第二方向に沿って前記用紙束端面と対向する位置に移動してもよい。この場合、塗布手段は第二方向への移動のみで、用紙束の用紙束端面に対向する位置と、用紙束の用紙束端面から離間した位置とに変位できる。したがって、製本装置は、塗布手段の簡易な移動制御によって、用紙束端面に接着部を形成するタイミングを調整できる。
【０００９】
本態様の製本装置は、紙揃え制御手段を備えてもよい。前記紙揃え制御手段は、前記テーブルに前記複数枚の用紙が供給された場合、前記紙揃え手段によって前記用紙束端面が揃えられた後、前記紙揃え手段を前記用紙束端面から離間させる。前記塗布手段は、前記紙揃え制御手段によって前記紙揃え手段が前記用紙束端面から離間された後、前記所定領域の範囲内で前記接着剤を塗布してもよい。この場合、用紙束端面を揃えた紙揃え手段が退避されたのちに、所定領域の範囲内で接着剤が塗布される。したがって、製本装置は、用紙束端面に対する接着剤の塗布が、紙揃え手段によって妨げられることを抑制できる。
【００１０】
本態様の製本装置は、第一搬送手段および表紙貼付手段を備えてもよい。前記第一搬送手段は、前記塗布手段によって前記接着部が形成された後、前記用紙束を前記第一方向に搬送する。前記表紙貼付手段は、前記第一搬送手段によって前記第一方向に搬送された前記用紙束の前記接着部に、前記表紙を貼り付ける。この場合、接着部が形成された用紙束は、第一方向にのみ位置が変化されて、表紙が貼り付けられる。したがって、製本装置は、用紙束端面に接着部が形成されたのち、用紙束の姿勢を変化させることなく、用紙束端面に表紙を正確に貼り付けることができる。
【００１１】
本態様の製本装置は、第二搬送手段および裁断手段を備えてもよい。前記第二搬送手段は、前記表紙貼付手段によって前記接着部に前記表紙が貼り付けられた後、前記用紙束を前記第三方向に搬送する。前記裁断手段は、前記第二搬送手段によって前記第三方向に搬送された前記用紙束を裁断する。この場合、表紙が貼り付けられた用紙束は、第三方向にのみ位置が変化されたのちに裁断される。したがって、製本装置は、用紙束端面に表紙が貼り付けられたのち、用紙束が上下方向を中心に回転されることなく、表紙が貼り付けられた用紙束を正確に裁断できる。
【００１２】
本態様の製本装置は、接着剤受部を備えてもよい。前記接着剤受部は、前記塗布手段の下方向において、前記所定領域の範囲内で塗布された前記接着剤のうち、落下した前記接着剤を受ける部材を設置可能である。この場合、用紙束端面に付着しなかった接着剤は落下して、落下した接着剤を受ける部材に収容される。したがって、製本装置は、不要な接着剤が飛散することを抑制できる。
【００１３】
前記塗布手段は、少なくとも前記用紙束の前記第二方向の長さに亘って、前記第二方向に移動しながら前記所定領域の範囲内で前記接着剤を塗布する可動体であってもよい。この場合、塗布手段は第二方向に移動しながら、用紙束端面の全体に接着剤を塗布する。したがって、製本装置は、小型で省スペースの塗布手段を用いて、用紙束端面の全体に接着剤を塗布できる。
【００１４】
前記塗布手段は、貯留部、設置部、塗布ローラ、塗布口を備えてもよい。前記貯留部は、前記水平方向の断面積が下方向に向けて漸減する有底箱状であって、前記接着剤を内部に貯留可能である。前記設置部は、少なくとも前記貯留部の下部から前記第三方向に連通し、前記貯留部に貯留された前記接着剤が内部に流入する。前記塗布ローラは、前記設置部の内部において、前記上下方向に延びる軸を中心に回転する略円筒体である。前記塗布ローラは、前記貯留部に貯留されている前記接着剤が付着可能な外周面を有する。前記塗布口は、前記塗布ローラの外周面を、前記設置部の内部から前記第三方向に露出させる開口である。前記所定領域は、前記塗布口から露出する前記塗布ローラの外周面によって、前記接着剤を塗布可能な領域であってもよい。
【００１５】
この場合、貯留部の内部に貯留された接着剤は、貯留部の下部に移動しやすく、且つ、貯留部の下部から設置部の内部にある塗布ローラの外周面に付着しやすい。接着剤が付着した塗布ローラの外周面は、塗布口から外部に露出して、所定領域の範囲内で接着剤を塗布可能である。したがって、製本装置は、所定領域の範囲内で揃えられた用紙束端面の全体に、十分な量の接着剤を塗布できる。
【図面の簡単な説明】
【００１６】
【図１】右前側上方から見た製本装置１の斜視図である。
【図２】製本装置１の正面図である。
【図３】製本装置１の右側面図である。
【図４】左前側上方から見た第一プリンタ３、用紙供給部５、テーブル１１０の斜視図である。
【図５】右後側上方から見た紙揃えユニット１００、束操作ユニット２００、糊付けユニット３００を示す斜視図である。
【図６】可動部１０１およびその周辺部の模式的な正面図である。
【図７】紙揃えユニット１００および束操作ユニット２００の左側面図である。
【図８】左後側上方から見た可動部３０１の斜視図である。
【図９】可動部３０１の縦断面図である。
【図１０】初期状態における、第二プリンタ４、表紙供給部６、表紙保持ユニット４００の左側面図である。
【図１１】初期状態における、右後側上方から見た可動部４０１の斜視図である。
【図１２】可動部４０１の平面図である。
【図１３】操作領域４３０Ａが開放された上クランプ４３０の部分拡大平面図である。
【図１４】操作領域４３０Ａが閉鎖された上クランプ４３０の部分拡大平面図である。
【図１５】冊子１０が裁断ユニット５００に供給される前の、束操作ユニット２００、裁断ユニット５００、テーブル１１０の右側面図である。
【図１６】右前側上方から見た裁断ユニット５００の斜視図である。
【図１７】用紙束８の紙揃えが行われる、製本装置１の左側面図である。
【図１８】表紙９の受取が行われる、第二プリンタ４、表紙供給部６、表紙保持ユニット４００の左側面図である。
【図１９】表紙９の搬送が行われる、第二プリンタ４、表紙供給部６、表紙保持ユニット４００の左側面図である。
【図２０】表紙９が保持された表紙保持ユニット４００の左側面図である。
【図２１】用紙束８の糊付けが行われる、製本装置１の左側面図である。
【図２２】用紙束８が表紙９で包まれる、製本装置１の左側面図である。
【図２３】右後側上方から見た可動部４０１の斜視図である。
【図２４】テーブル１１０が冊子１０から離間する、製本装置１の左側面図である。
【図２５】冊子１０が持ち上げられる、製本装置１の左側面図である。
【図２６】冊子１０がテーブル１１０に載置される、製本装置１の左側面図である。
【図２７】冊子１０が裁断ユニット５００に供給される、束操作ユニット２００、裁断ユニット５００、テーブル１１０の右側面図である。
【図２８】冊子１０が供給された裁断ユニット５００の平面図である。
【図２９】冊子１０の左端面および右端面が裁断される、裁断ユニット５００の平面図である。
【図３０】冊子１０の後端面が裁断される、裁断ユニット５００の平面図である。
【発明を実施するための形態】
【００１７】
本発明を具体化した実施の形態について、図面を参照して説明する。なお、参照する図面は、本発明が採用しうる技術的特徴を説明するために用いられるものであり、記載されている装置の構成などは、それのみに限定する趣旨ではなく、単なる説明例である。
【００１８】
＜１．製本装置１の概略構造＞
図１〜図３を参照して、製本装置１の概略構造を説明する。以下の説明では、図１の左下側、右上側、左上側、右下側、上側、下側を、それぞれ、製本装置１の前側、後側、左側、右側、上側、下側とする。製本装置１の上下方向は、重力方向と平行な垂直方向と同義である。製本装置１の前後左右方向は、重力方向と直交する水平方向と同義である。図１〜図３は、製本装置１が製本動作を開始する前の状態（初期状態）を示す。
【００１９】
製本装置１は、本体枠２、第一プリンタ３、第二プリンタ４、用紙供給部５、表紙供給部６、紙揃えユニット１００、束操作ユニット２００、糊付けユニット３００、表紙保持ユニット４００、裁断ユニット５００、制御部９００を含む。本体枠２は、直方体状のフレーム構造を有する。本体枠２は、上下方向および左右方向の長さが略等しく、且つ前後方向が長手方向である。
【００２０】
設置台２５は、本体枠２の左下枠に図示外の金具で連結固定されている。設置台２５は、本体枠２の左下枠から左方向に延びる、平面視で略正方形状の板状体である。第一プリンタ３は、設置台２５の上に載置されている。つまり、第一プリンタ３は、本体枠２の左側に配置されている。天板２１は、本体枠２の上面を覆う板状体である。第二プリンタ４は、天板２１の上に載置されている。つまり、第二プリンタ４は、本体枠２の上側に配置されている。第一プリンタ３および第二プリンタ４は、いずれも製本装置１の前後方向の略中心に配置されている。
【００２１】
第一プリンタ３は、製本装置１で作成される冊子の中身（または本文）を構成する複数枚の用紙８Ａ（図６参照）を印刷するプリンタである。第一プリンタ３は、第一プリンタ３で印刷された用紙が排出される開口である用紙排出口３Ａを有する。本実施形態では、第一プリンタ３は、冊子の中身に適した薄手且つ標準サイズの用紙（例えば、Ａ４サイズの普通紙）に、画像を高速で印刷可能なレーザプリンタである。用紙排出口３Ａは、第一プリンタ３の上面に設けられ、印刷済みの用紙８Ａを右上方向に排出する。
【００２２】
第二プリンタ４は、製本装置１で作成される冊子の表紙９（図１８参照）を印刷するプリンタである。表紙９は、冊子の中身を構成する複数枚の用紙８Ａが重ねられた用紙束８（図５参照）を被覆可能な大きさおよび形状を有する。第二プリンタ４は、第二プリンタ４で印刷された表紙９が排出される開口である表紙排出口４Ａを有する。本実施形態では、第二プリンタ４は、表紙に適した厚手且つ大判サイズの用紙（例えば、Ａ３サイズの特殊紙）に、画像を高画質で印刷可能なインクジェットプリンタである。表紙排出口４Ａは、第二プリンタ４の前面に設けられ、印刷済みの表紙９を前方向に排出する。
【００２３】
用紙供給部５は、用紙排出口３Ａから本体枠２の内側に向けて延びている。用紙供給部５は、用紙排出口３Ａから排出された印刷済みの用紙８Ａを、本体枠２の左側から紙揃えユニット１００に供給する。図１および図３に示すように、表紙供給口２２は、天板２１の前縁部に設けられている。表紙供給口２２は、天板２１を上下方向に貫通し、且つ左右方向に延びる矩形状の開口である。表紙供給口２２は、第二プリンタ４よりも前側に位置する。表紙供給部６は、天板２１の上に設けられ、且つ、表紙供給口２２と第二プリンタ４との間に位置している。表紙供給部６は、表紙排出口４Ａから排出された印刷済みの表紙９を、表紙保持ユニット４００に供給する。
【００２４】
紙揃えユニット１００、束操作ユニット２００、糊付けユニット３００、表紙保持ユニット４００、裁断ユニット５００、制御部９００は、本体枠２の内側に配置されている。ただし、裁断ユニット５００の一部は、本体枠２の内側から後側に突出している。表紙保持ユニット４００の一部は、後述するように表紙供給口２２を介して本体枠２の上側に移動可能である。
【００２５】
紙揃えユニット１００は、用紙供給部５から供給された複数の用紙８Ａが重ねられた用紙束８の保持および紙揃えを実行する機構である。用紙束８の紙揃えは、複数の用紙８Ａが重ねられた方向（本実施形態では、上下方向）に沿って、用紙束端面を略面一に揃える動作である。用紙束端面は、用紙束８のうちで、複数の用紙８Ａが重ねられた方向と直交する方向（本実施形態では、前後方向および左右方向）の端面である。束操作ユニット２００は、紙揃えユニット１００で保持される用紙束８に対して、各種操作（例えば、紙揃え、押え、搬送など）を実行する機構である。
【００２６】
糊付けユニット３００は、紙揃えされた用紙束端面に、表紙９を貼り付け可能な接着部を形成する機構である。表紙保持ユニット４００は、表紙供給部６から供給された表紙９を保持し、且つ保持した表紙９で用紙束８を包む機構である。裁断ユニット５００は、表紙９で包まれた用紙束８のうち、表紙９が貼り付けられていない用紙束端面を裁断する機構である。制御部９００は、図示外のＣＰＵ、ＲＯＭ、ＲＡＭ等を含むコントローラであり、製本装置１の製本動作を制御する。
【００２７】
以上のように、第一プリンタ３、第二プリンタ４、用紙供給部５、表紙供給部６、紙揃えユニット１００、束操作ユニット２００、糊付けユニット３００、表紙保持ユニット４００、裁断ユニット５００、制御部９００は、いずれも本体枠２によって支持されている。ユーザは、本体枠２の下面の四隅に設けられた複数のキャスター２９を介して、製本装置１を一体的に移動させることができる。
【００２８】
＜２．用紙供給部５の詳細構造＞
図２および図４に示すように、用紙供給部５は、経路板５１，５２、案内カバー５３，５４、複数の搬送ローラ５５，５６、駆動モータ５７，５８を含む。経路板５１は、用紙排出口３Ａから右上方向に延び、且つ、第一プリンタ３の上面の右縁部まで延びる板状体である。案内カバー５３，５４は、それぞれ、経路板５１の上側に設けられた、前後方向に延びる板状体である。用紙８Ａの通過可能な隙間が、経路板５１と案内カバー５３，５４との間に形成されている。
【００２９】
経路板５２は、経路板５１の右上端部と紙揃えユニット１００との間を左右方向に延びる板状体である。複数の搬送ローラ５５は、経路板５２の左端部に設けられた、前後方向に並ぶ回転体である。駆動モータ５７は、前後方向に延びる軸５５Ａを中心に、複数の搬送ローラ５５を回転駆動する。複数の搬送ローラ５６は、経路板５２の右端部に設けられた、前後方向に並ぶ回転体である。駆動モータ５８は、前後方向に延びる軸５６Ａを中心に、複数の搬送ローラ５６を回転駆動する。
【００３０】
第一プリンタ３で印刷された用紙８Ａは、用紙排出口３Ａから経路板５１の上面に排出される。排出された用紙８Ａは、経路板５１と案内カバー５３，５４との隙間を経由して右上方向に移動する。移動した用紙８Ａは、駆動モータ５７が回転駆動する搬送ローラ５５によって、経路板５２の上面に沿って右方向に搬送される。搬送された用紙８Ａは、駆動モータ５８が回転駆動する搬送ローラ５６によって、後述の紙揃えユニット１００に供給される。
【００３１】
＜３．表紙供給部６の詳細構造＞
図１および図３に示すように、表紙供給部６は、支持台６１、下案内板６２、上案内板６３を含む。支持台６１は、上案内板６３と下案内板６２を、天板２１の上側で支持する。下案内板６２および上案内板６３は、いずれも、側面視で前側下方に向けて円弧状に曲がる、前後方向に延びる板状体である。上案内板６３は、下案内板６２の上側に設けられている。表紙９の通過可能な隙間が、上案内板６３と下案内板６２との間に形成されている。
【００３２】
下案内板６２の後端部と上案内板６３の後端部との間に形成される隙間は、経路入口６４である。経路入口６４は、後方向に開口しており、且つ、表紙排出口４Ａ（図２参照）と前後方向に対向する。下案内板６２の前端部と上案内板６３の前端部との間に形成される隙間は、経路出口６５である。経路出口６５は、下方向に開口しており、且つ、表紙供給口２２と上下方向に対向する。第二プリンタ４で印刷された表紙９は、表紙排出口４Ａから経路入口６４に進入して前側下方に移動したのち、経路出口６５から表紙供給口２２に向けて排出される。経路出口６５から排出された表紙９は、後述の表紙保持ユニット４００に供給される。
【００３３】
＜４．紙揃えユニット１００の詳細構造＞
図５〜図７を参照して、紙揃えユニット１００の詳細構造を説明する。図５は、紙揃えユニット１００の略全体、束操作ユニット２００の一部、糊付けユニット３００の略全体を図示し、且つ、後側紙揃え板１５０を省略している。図６および図７は、可動部１０１の内部構造を概略的に示している。図５〜図７では、テーブル１１０が後述の第一搬送位置にあり、左揃え板１３０および右揃え板１４０は後述の離間位置にあり、後揃え板１５０は後述の上昇位置および離間位置にある。図５は用紙束８を仮想線で示す。
【００３４】
図５に示すように、紙揃えユニット１００は、可動部１０１、搬送部１０２、左側紙揃え部１０３、右側紙揃え部１０４を含む。可動部１０１は、本体枠２の内側で前後方向に移動可能である。搬送部１０２は、可動部１０１を前後方向に移動させる。左側紙揃え部１０３は、載置面１１０Ａの上にある用紙束８の左端面に対して紙揃えを行う。右紙揃え部１０４は、載置面１１０Ａの上にある用紙束８の右端面に対して紙揃えを行う。用紙束８の左端面および右端面は、それぞれ、用紙束８における左側および右側の用紙束端面である。
【００３５】
搬送部１０２は、基部１２０、搬送モータ１２１、ねじ軸１２２、ガイドレール１２３，１２４を含む。基部１２０は、前後方向および左右方向に延びる板状体であり、且つ前後方向が長手方向の矩形状である。基部１２０は、本体枠２の内側略中央に配置された状態で、本体枠２に連結固定されている。搬送モータ１２１は、基部１２０の後端部に設けられている。ねじ軸１２２は、基部１２０の上面における左右方向略中央に設けられ、且つ搬送モータ１２１から前方向に延びている。搬送モータ１２１は、ねじ軸１２２を軸心まわりに回転可能である。ガイドレール１２３，１２４は、それぞれ、基部１２０の上面においてねじ軸１２２の左側および右側に設けられ、且つねじ軸１２２と並んで前後方向に延びる。
【００３６】
可動部１０１は、テーブル１１０、支持台１１１、支持板１１２，１１３、ナット１１４、連結板１１５を含む。テーブル１１０は、載置面１１０Ａおよびスリット１１０Ｂを有する、平面視で略正方形状の板状体である。載置面１１０Ａは、水平方向に延びるテーブル１１０の上面であり、平面視で左右一対の二辺と前後一対の二辺とを有する。載置面１１０Ａは、複数枚の用紙８Ａを上下方向に重ねて載置可能である。載置面１１０Ａの前後方向長さおよび左右方向長さは、それぞれ第一プリンタ３で印刷される用紙８Ａの前後方向長さおよび左右方向長さよりも若干小さい。つまり、載置面１１０Ａは、第一プリンタ３で印刷される用紙８Ａよりも一回り小さい。スリット１１０Ｂは、テーブル１１０の後端部の左右方向略中央から前方に切り欠かれた部位である。
【００３７】
テーブル１１０は、支持台１１１の上端部に設けられている。支持台１１１は、内部に空間が形成された直方体状である。支持台１１１は、支持板１１２，１１３の上に設けられている。支持板１１２，１１３は、それぞれ、支持台１１１の下端部左側および下端部右側に設けられた板状体である。複数の摺動部１１２Ａが、前後方向に並んで支持板１１２の下面に設けられている。各摺動部１１２Ａは、ガイドレール１２３に沿って移動可能な摺動部材である。複数の摺動部１１３Ａが、前後方向に並んで支持板１１３の下面に固定されている。各摺動部１１３Ａは、ガイドレール１２４に沿って移動可能な摺動部材である。
【００３８】
ナット１１４は、支持板１１２，１１３の間に設けられ、且つ内部にねじ軸１２２が挿通されている。ナット１１４は、ナット１１４とねじ軸１２２との間を転動するボール（図示外）を封入する。ナット１１４および支持板１１２，１１３は、左右方向に延びる連結板１１５によって連結固定されている。ナット１１４およびねじ軸１２２は、公知のボールねじである（後述する他のナットおよびねじ軸も同様）。
【００３９】
テーブル１１０は、本体枠２の左右方向および上下方向の略中心位置において、本体枠２の内側を前後方向に移動可能である。テーブル１１０の可動範囲は、本体枠２の前後方向の略中心位置よりも若干前側にある第一搬送位置を含む。第一搬送位置は、載置面１１０Ａが経路板５２の右下に位置する、テーブル１１０の前後方向位置である（図４および図６参照）。テーブル１１０が第一搬送位置にある場合、搬送ローラ５６によって搬送される印刷済みの用紙８Ａは、載置面１１０Ａの上に排出される。このとき、載置面１１０Ａの上に排出される用紙８Ａの長辺および短辺は、それぞれ左右方向および前後方向と平行である。つまり第一搬送位置は、載置面１１０Ａに複数枚の用紙８Ａが供給される、テーブル１１０の前後方向位置である。
【００４０】
図５および図６に示すように、左側紙揃え部１０３は、左揃え板１３０、ソレノイド１３１、支持部１３２を含む。支持部１３２は、可動部１０１の左側に配置された状態で、本体枠２に連結固定されている。支持部１３２は、上下方向に延び、且つ、上端部が前後方向に延びる柱状部材である。ソレノイド１３１は、支持部１３２の上端部で支持されている。ソレノイド１３１は、右方向に延びる軸１３１Ａを有する。
【００４１】
左揃え板１３０は、軸１３１Ａの先端に連結されている。左揃え板１３０は、上下方向および前後方向に延びる板状体であり、且つ前後方向が長手方向の矩形状である。左揃え板１３０の右面は、載置面１１０Ａ上の用紙束８よりも上下方向に延びる面部である。つまり、左揃え板１３０の右面下端部は、載置面１１０Ａの上にある用紙束８よりも下側に位置する。左揃え板１３０の右面上端部は、載置面１１０Ａの上にある用紙束８よりも上側に位置する。左揃え板１３０は、搬送ローラ５６の下側に設けられているため、搬送ローラ５６によって搬送される用紙８Ａに干渉しない。左揃え板１３０は、テーブル１１０が第一搬送位置にある場合に、載置面１１０Ａの上にある用紙束８の左端面と左右方向に対向する。
【００４２】
右側紙揃え部１０４は、左側紙揃え部１０３と同様の構造を有し、且つ左側紙揃え部１０３と略左右対称である。右側紙揃え部１０４は、右揃え板１４０、ソレノイド１４１、支持部１４２を含む。左方向に延びる軸１４１Ａを有するソレノイド１４１は、可動部１０１の右側に設けられた支持部１４２の上端部で支持される。右揃え板１４０は、軸１４１Ａの先端に連結され、且つ左揃え板１３０と左右方向に対向している。右揃え板１４０の左面は、載置面１１０Ａの上にある用紙束８よりも上下方向に延びる面部である。右揃え板１４０は、テーブル１１０が第一搬送位置にある場合に、載置面１１０Ａの上にある用紙束８の右端面と左右方向に対向する。
【００４３】
図６および図７に示すように、可動部１０１は、後揃え板１５０、ソレノイド１５１、支持部１５２、ねじ軸１５３、ガイドレール１５４、昇降モータ１５５を含む。ねじ軸１５３およびガイドレール１５４は、支持台１１１の内部で左右方向に並んで、上下方向に架設されている。昇降モータ１５５は、ねじ軸１５３の下端部に接続されている。昇降モータ１５５は、ねじ軸１５３を軸心まわりに回転可能である。
【００４４】
支持部１５２は、前後方向および左右方向に延びる板状体であり、且つ左右方向が長手方向の矩形状である。ねじ軸１５３は、支持部１５２の前縁部左側に設けられた円筒状のナット１５２Ａに挿通されている。ガイドレール１５４は、支持部１５２の前縁部右側に設けられた円筒状の摺動部１５２Ｂに挿通されている。ソレノイド１５１は、支持部１５２の上面に設けられている。ソレノイド１５１は、後方向に延びる軸１５１Ａを有する。後揃え板１５０は、軸１５１Ａの先端に連結されている。後揃え板１５０は、上下方向および左右方向に延びる板状体であり、且つ左右方向が長手方向の矩形状である。後揃え板１５０の前面は、上下方向に延びる面部である。
【００４５】
上記の構造により、搬送モータ１２１がねじ軸１２２を回転駆動すると、ナット１１４が前後方向に移動する。ナット１１４の移動に伴って、連結板１１５を介して連結された支持板１１２，１１３が、それぞれガイドレール１２３，１２４に沿って移動する。支持台１１１の上に支持されたテーブル１１０は、前後方向に移動する。
【００４６】
ソレノイド１３１が軸１３１Ａを退入している場合、左揃え板１３０は正面視でテーブル１１０から左方向に離間する離間位置に保持される。ソレノイド１３１が軸１３１Ａを進出すると、左揃え板１３０は離間位置から右方向に移動する。ソレノイド１４１が軸１４１Ａを退入している場合、右揃え板１４０は正面視でテーブル１１０から右方向に離間する離間位置に保持される。ソレノイド１４１が軸１４１Ａを進出すると、右揃え板１４０は離間位置から左方向に移動する。左揃え板１３０および右揃え板１４０がいずれも離間位置にある場合、左揃え板１３０と右揃え板１４０との左右方向距離は、用紙８Ａの長辺（左右方向長さ）よりも大きい。
【００４７】
昇降モータ１５５がねじ軸１５３を回転駆動すると、ナット１５２Ａが上下方向に移動する。ナット１５２Ａの移動に伴って、摺動部１５２Ｂがガイドレール１５４に沿って移動する。支持部１５２の後方で支持された後揃え板１５０は、上下方向に移動する。後揃え板１５０は、上昇位置まで上方向に移動可能である。後揃え板１５０の上昇位置は、後揃え板１５０の前面下端部が載置面１１０Ａよりも下側に位置し、且つ、後揃え板１５０の前面上端部が載置面１１０Ａの上にある用紙束８よりも上側に位置する、後揃え板１５０の上下方向位置である。つまり、上昇位置にある後揃え板１５０の前面は、載置面１１０Ａの上にある用紙束８よりも上下方向に延びる。後揃え板１５０は、下降位置まで下方向に移動可能である。後揃え板１５０の下降位置は、後揃え板１５０の全体が載置面１１０Ａよりも下側に位置する、後揃え板１５０の上下方向位置である。
【００４８】
後揃え板１５０は上昇位置にある場合に、載置面１１０Ａの上にある用紙束８の後端面と前後方向に対向する。用紙束８の後端面は、用紙束８における後側の用紙束端面である。ソレノイド１５１が軸１５１Ａを進出している場合、後揃え板１５０は側面視でテーブル１１０から後方向に離間する離間位置に保持される。ソレノイド１５１が軸１５１Ａを退入すると、後揃え板１５０は離間位置から前方向に移動する。
【００４９】
＜５．束操作ユニット２００の詳細構造＞
図５および図７を参照して、束操作ユニット２００の詳細構造を説明する。図５および図７では、前揃え板２３１は後述の紙揃え位置にある。束操作ユニット２００は、可動部２０１および搬送部２０２を含む。可動部２０１は、本体枠２の内側且つ紙揃えユニット１００よりも上側で、前後方向に移動可能である。搬送部２０２は、可動部２０１を前後方向に移動させる。
【００５０】
搬送部２０２は、基部２２０、搬送モータ２２１、図示外のねじ軸およびガイドレールを含む。基部２２０は、前後左右の各方向に配置された矩形状のフレーム構造を有する。基部２２０は、本体枠２の内側上部に配置された状態で、本体枠２に連結固定されている。搬送モータ２２１は、基部２２０の後端部に設けられている。図示外のねじ軸は、基部２２０の左右方向略中央に設けられ、且つ搬送モータ２２１から前方向に延びている。搬送モータ２２１は、図示外のねじ軸を軸心まわりに回転可能である。図示外のガイドレールは、基部２２０において図示外のねじ軸の右側に設けられ、且つ図示外のねじ軸と並んで前後方向に延びる。
【００５１】
可動部２０１は、図示外の可動体、支持板２１１、連結板２１２，２１３、ねじ軸２１４、一対のガイドレール２１５、ベルト２１６、プーリ２１７，２１８、昇降モータ２１９、束操作部２３０を含む。図示外の可動体は、左右方向に延びる柱状部材である。図示外の可動体は、図示外のナットおよび摺動部を含む。図示外のナットは、可動体の右端部に設けられ、且つ、基部２２０に設けられたねじ軸が挿通されている。図示外の摺動部は、図示外の可動体の左端部に設けられ、且つ、基部２２０に設けられたガイドレールに沿って移動可能な摺動部材である。
【００５２】
支持板２１１は、前後方向および左右方向に延びる板状体であり、且つ左右方向が長手方向の矩形状である。支持板２１１は、図示外の可動体の下側に配置された状態で、図示外の可動体によって支持されている。連結板２１２，２１３は、支持板２１１の下面から下方向に延びる板状体である。連結板２１２は、連結板２１３の後側に設けられている。昇降モータ２１９は、連結板２１３の後面に設けられている。昇降モータ２１９は、上方向に延びる軸２１９Ａを有する。プーリ２１８は、軸２１９Ａの先端に設けられている。
【００５３】
ねじ軸２１４は、連結板２１３の前面に設けられ、且つ上下方向に延びる。プーリ２１７は、ねじ軸２１４の上端部に設けられている。プーリ２１７，２１８は、いずれも支持板２１１よりも上側に設けられ、互いに前後方向に対向する。ベルト２１６は、プーリ２１７，２１８に架け渡されている。一対のガイドレール２１５は、それぞれ、連結板２１３の前面においてねじ軸２１４の左側および右側に設けられ、且つねじ軸２１４と並んで上下方向に延びる。なお、昇降モータ２１９および連結板２１２，２１３と、テーブル１１０との上下方向距離は、載置面１１０Ａの上にある用紙束８の上下方向長さよりも大きい。
【００５４】
束操作部２３０は、連結板２１３の前側に設けられている。束操作部２３０は、前揃え板２３１、押え板２３２、一対の摺動部２３３、図示外のナットを含む。前揃え板２３１は、上下方向および左右方向に延びる板状体であり、且つ左右方向が長手方向の矩形状である。前揃え板２３１の後面は、上下方向に延びる面部である。本実施形態では、前揃え板２３１の後面は、載置面１１０Ａの上にある用紙束８の前端面（後述）の全体に接触可能な面部である。押え板２３２は、前揃え板２３１の下端部から前方向に延びる板状体であり、且つ平面視で左右方向が長手方向の矩形状である。押え板２３２の下面は、水平方向に延びる面部である。本実施形態では、押え板２３２の下面は、載置面１１０Ａの上にある用紙束８の上面に対して左右方向に亘って接触可能な面部である。束操作部２３０の左右方向の中心位置は、テーブル１１０の左右方向の中心位置と略一致する。一対の摺動部２３３は、前揃え板２３１の後面における左上端部および右上端部に設けられている。各摺動部２３３は、それぞれ対応するガイドレール２１５に沿って移動可能な摺動部材である。図示外のナットは、前揃え板２３１の後面における左右方向略中央に設けられ、且つねじ軸２１４が挿通されている。
【００５５】
上記の構造により、搬送モータ２２１が図示外のねじ軸を回転駆動すると、図示外のナットが設けられた可動部２０１の可動体（図示外）は、図示外のガイドレールに沿って前後方向に移動する。支持板２１１の前側下方で支持された束操作部２３０は、紙揃えユニット１００の上側で前後方向に移動する。束操作部２３０の前後方向の可動範囲は、本体枠２の前後方向の略中心位置よりも若干前側にある第一水平位置を含む。
【００５６】
昇降モータ２１９が軸２１９Ａを回転駆動すると、ベルト２１６およびプーリ２１７，２１８を介して、ねじ軸２１４が回転駆動する。図示外のナットが設けられた束操作部２３０は、ガイドレール２１５に沿って上下方向に移動する。束操作部２３０は、第一垂直位置まで下方向に移動可能である。第一垂直位置は、前揃え板２３１の後面下端部が載置面１１０Ａよりも下側に位置し、且つ、前揃え板２３１の後面上端部が載置面１１０Ａの上にある用紙束８よりも上側に位置する、束操作部２３０の上下方向位置である。つまり、第一垂直位置にある前揃え板２３１の後面は、載置面１１０Ａの上にある用紙束８よりも上下方向に延びる。束操作部２３０は、第二垂直位置まで上方向に移動可能である。束操作部２３０の第二垂直位置は、束操作部２３０の全体が載置面１１０Ａの上にある用紙束８よりも上側に位置する、束操作部２３０の上下方向位置である。
【００５７】
束操作部２３０が第一水平位置および第一垂直位置にある場合に、前揃え板２３１は第一搬送位置のテーブル１１０よりも若干前側に配置される。このとき、前揃え板２３１は、載置面１１０Ａの上にある用紙束８の前端面と前後方向に対向する位置（紙揃え位置）にある。用紙束８の前端面は、用紙束８における前側の用紙束端面である。前揃え板２３１が紙揃え位置にあり、且つ、後揃え板１５０が上昇位置にある場合、前揃え板２３１および後揃え板１５０は前後方向に対向する。紙揃え位置の前揃え板２３１と、離間位置の後揃え板１５０との前後方向距離は、用紙８Ａの短辺（前後方向長さ）よりも大きい。
【００５８】
＜６．糊付けユニット３００の詳細構造＞
図５、図８、図９を参照して、糊付けユニット３００の詳細構造を説明する。図９は、可動部３０１の左右方向略中心を通り、且つ前後方向および上下方向に延びる断面を左側から見た断面図である。図５では、糊塗布部３４０は後述の退避位置にある。図５に示すように、糊付けユニット３００は、第一搬送位置のテーブル１１０よりも前側に配置され、可動部３０１および搬送部３０２を含む。可動部３０１は、本体枠２の内側且つ第一搬送位置のテーブル１１０の前側で、左右方向に移動可能である。搬送部３０２は、可動部３０１を左右方向に移動させる。
【００５９】
搬送部３０２は、基部３２０、搬送モータ３２１、ねじ軸３２２を含む。基部３２０は、平面視で基部１２０と交差して左右方向に延びる柱状部材である。基部３２０は、基部１２０の前端部上側に配置された状態で、本体枠２に連結固定されている。搬送モータ３２１は、基部３２０の左端部に設けられている。ねじ軸３２２は、基部３２０の後面に配置され、且つ搬送モータ３２１から右方向に延びている。搬送モータ３２１は、ねじ軸３２２を軸心まわりに回転可能である。
【００６０】
図８および図９に示すように、可動部３０１は、支持部３１１、ナット３１２（図５参照）、糊受設置部３１３、断熱板３１４、チェーン３１６、プーリ３１７，３１８、駆動モータ３１９、糊塗布部３４０を含む。支持部３１１は、上下方向および左右方向に延びる板状体であり、且つ上下方向が長手方向の矩形状である。ナット３１２は、支持部３１１の前面下端部に設けられ、且つねじ軸３２２が挿通されている。駆動モータ３１９は、支持部３１１の前面且つナット３１２の上側に設けられている。駆動モータ３１９は、駆動モータ３１９から上方向に延びる軸３１９Ａに接続されている。プーリ３１８は、軸３１９Ａに設けられている。
【００６１】
断熱板３１４は、支持部３１１の後面に設けられている。糊塗布部３４０は、断熱板３１４の後面に設けられている。糊塗布部３４０は、少なくとも用紙束８の左右方向の長さに亘って、左右方向に移動しながら後述の糊塗布領域の範囲内で糊７を塗布する可動体である。糊塗布部３４０は、本体部３４９および糊塗布ローラ３５０を含む。糊塗布ローラ３５０は、上下方向に延びる略円柱状であり、液状の糊７を対象物に塗布可能である。糊塗布ローラ３５０は、ローラ本体３５１、下軸３５２、上軸３５３を有する。ローラ本体３５１は、糊７が付着可能な周面３５１Ａを有する円柱体である。周面３５１Ａは、周方向に連続して且つ交互に形成された、上下方向に延びる複数の山部および複数の谷部を有する。下軸３５２は、ローラ本体３５１の下端面中央から下方に突出する小径の軸である。上軸３５３は、ローラ本体３５１の上端面中央から上方に突出する小径の軸である。
【００６２】
本体部３４９は、上下方向が長手方向の略直方体状の箱状体であり、且つ、内部に糊塗布ローラ３５０および糊７を収容可能である。本体部３４９は、糊注入口３４１、糊貯留部３４２、ローラ設置部３４３、軸受部３４４，３４５、糊塗布口３４６、ヒータ３４７を含む。糊注入口３４１は、本体部３４９の上面に設けられた、糊７を注入可能な開口である。糊貯留部３４２は、本体部３４９の内部に設けられた、糊注入口３４１から下側に延びる略有底箱状の空間である。糊貯留部３４２は、糊注入口３４１から注入された糊７を貯留する。
【００６３】
ローラ設置部３４３は、本体部３４９の内部に設けられた、糊貯留部３４２の下側部分から後方に連通する空間である。本実施形態のローラ設置部３４３は、糊貯留部３４２の上下方向略全体に亘って、糊貯留部３４２と前後方向に連通している。軸受部３４４は、ローラ設置部３４３の下端部中央から下側に延びる凹部である。軸受部３４５は、本体部３４９の上面且つ糊注入口３４１の後側に設けられた、ローラ設置部３４３と上下方向に連通する開口である。
【００６４】
糊塗布口３４６は、本体部３４９の後面から前方に切り欠かれた、ローラ設置部３４３と前後方向に連通する開口である。糊塗布口３４６は、糊貯留部３４２の下側部分より上下方向に延びている。本実施形態の糊塗布口３４６は、糊貯留部３４２の下端部と略同一の上下方向位置から、糊貯留部３４２の上下方向略中心よりも若干上側に亘って形成されている。糊塗布口３４６は、糊塗布ローラ３５０の周面３５１Ａを、ローラ設置部３４３の内部から後方向に露出させる。糊塗布口３４６の左下端部において下方に凹む部位は、糊案内部３４６Ａである。糊案内部３４６Ａは、糊塗布ローラ３５０の周面３５１Ａで垂れ落ちる糊７を、後述の糊受け部材３６０に向けて案内する。ヒータ３４７は、本体部３４９の内部且つ糊貯留部３４２の前側に配置された発熱体である。
【００６５】
下軸３５２が軸受部３４４に挿入され、且つ、上軸３５３が軸受部３４５に挿入された状態で、ローラ本体３５１はローラ設置部３４３に収容される。ローラ本体３５１は、軸受部３４４で軸支された下軸３５２と軸受部３４５で軸支された上軸３５３とを中心に、ローラ設置部３４３の内部で回転可能である。周面３５１Ａの一部が、糊塗布口３４６を介して本体部３４９の後方に露出する。糊塗布口３４６から露出する周面３５１Ａの一部を、糊塗布ローラ３５０の糊塗布面という。糊塗布ローラ３５０の糊塗布面は、紙揃え位置にある前揃え板２３１の後面と、略同一の前後方向位置にある。糊塗布ローラ３５０の糊塗布面は、載置面１１０Ａの上にある用紙束８よりも上下方向に延びている。
【００６６】
上軸３５３は、軸受部３４５を貫通して、本体部３４９の上側まで延びている。プーリ３１７は、上軸３５３の先端に設けられている。プーリ３１７，３１８は、互いに前後方向に対向する。チェーン３１６は、支持部３１１に形成された貫通穴３１１Ａを介して、プーリ３１７，３１８に架け渡されている。糊受設置部３１３は、糊塗布部３４０の下側に設けられている。糊受設置部３１３は、平面視で糊塗布ローラ３５０の糊塗布面を含む範囲に亘って水平方向に延びる、糊受け部材３６０を載置可能な面を有する。糊受設置部３１３は、連結板３６１を介して本体部３４９に連結固定されている。糊受け部材３６０は、液体を貯留可能な上方に開口するカップであればよい。
【００６７】
上記の構造により、搬送モータ３２１がねじ軸３２２を回転駆動すると、ナット３１２が設けられた支持部３１１は左右方向に移動する。支持部３１１の後側で支持された糊塗布部３４０は、第一水平位置にあるテーブル１１０よりも前側で左右方向に移動する。糊塗布部３４０の可動範囲の右端部は、退避位置である。糊塗布部３４０が退避位置にある場合、糊塗布部３４０はテーブル１１０の可動範囲（つまり、前後方向に移動するテーブル１１０が通過可能な領域）から右方向に離間する。糊塗布部３４０が退避位置から左方向に移動した場合、糊塗布部３４０はテーブル１１０の可動範囲に進入する。糊塗布部３４０は、テーブル１１０の可動範囲を左右方向に亘って移動可能である。糊塗布部３４０の移動に伴って糊塗布ローラ３５０の糊塗布面が移動する軌跡を、糊塗布部３４０の糊塗布領域という。糊塗布部３４０の糊塗布領域は、テーブル１１０の可動範囲を跨って左右方向に延びている。
【００６８】
ローラ設置部３４３はローラ本体３５１と略同一の形状および大きさを有するため、周面３５１Ａとローラ設置部３４３の内壁との間に形成される隙間は狭い。糊注入口３４１から注入された糊７は、糊貯留部３４２からローラ設置部３４３に流出しにくいため、糊貯留部３４２に貯留される。糊貯留部３４２に貯留されている糊７は、ヒータ３４７によって加熱されるため、糊貯留部３４２で凝固することが抑制される。断熱板３１４はヒータ３４７の発熱を、駆動モータ３１９の後側で遮断する。ヒータ３４７の発熱に起因する駆動モータ３１９の回転不良が抑制される。
【００６９】
駆動モータ３１９が軸３１９Ａを回転駆動すると、チェーン３１６およびプーリ３１７，３１８を介して、糊塗布ローラ３５０が上下方向を中心に回転駆動する。このとき、糊貯留部３４２に貯留されている糊７の一部が、周面３５１Ａの谷部に保持された状態で、糊塗布口３４６に移動する。糊塗布ローラ３５０の糊塗布面に糊７が供給されて、供給された糊７が糊塗布面に接触する対象物に塗布される。対象物に塗布されずに周面３５１Ａで垂れ落ちた糊７は、糊案内部３４６Ａを介して糊塗布部３４０から下方に排出され、糊案内部３４６Ａの直下に位置する糊受け部材３６０に落下および貯留される。
【００７０】
糊貯留部３４２の内壁のうちの前壁３４２Ａは、後側下方に傾斜している。糊貯留部３４２の水平方向の断面積は、下方に向けて漸減している。糊貯留部３４２に貯留されている糊７は、自重の作用で前壁３４２Ａに沿って後側下方に移動する。したがって糊７は、糊貯留部３４２の下側部分から周面３５１Ａの下側部分に供給されやすい。周面３５１Ａの下側部分は、糊塗布ローラ３５０の回転に伴って糊塗布口３４６に露出する部分（つまり、糊塗布ローラ３５０の糊塗布面）に相当する。したがって、十分な量の糊７が、糊塗布ローラ３５０の糊塗布面に安定して供給される。
【００７１】
＜７．表紙保持ユニット４００の詳細構造＞
図１０〜図１４を参照して、表紙保持ユニット４００の詳細構造を説明する。図１２は、昇降モータ４９０および位置決め板４５５を省略している。図１３および図１４は、図１２において仮想線で囲まれた範囲を拡大している。図１０では、可動部４０１が後述の基準位置にある。図１０および図１１では、上クランプ４３０および下クランプ４４０は、それぞれ後述の上基準位置および下基準位置にある。図１０および図１１では、上クランプ４７０および下クランプ４８０は、各々の可動範囲の上端部および下端部にある。図１２および図１３では、操作領域４３０Ａは開放されている。図１４では、操作領域４３０Ａは閉鎖されている。
【００７２】
図１０に示すように、表紙保持ユニット４００は、第一搬送位置のテーブル１１０および糊付けユニット３００よりも前方向に配置され、可動部４０１および搬送部４０２を含む。可動部４０１は、本体枠２の内側且つ糊塗布部３４０よりも前側で、上下方向に移動可能である。搬送部４０２は、可動部４０１を上下方向に移動させる。
【００７３】
搬送部４０２は、基部４２１、搬送モータ４２２、一対のガイドレール４２３、図示外のねじ軸を含む。基部４２１は、上下左右の各方向に配置された矩形状のフレーム構造を有する。基部４２１は、本体枠２の前端部に配置された状態で、本体枠２に連結固定されている。搬送モータ４２２は、基部４２１の下端部に設けられている。図示外のねじ軸は、基部４２１の左右方向略中央に配置され、且つ搬送モータ４２２から上方向に延びている。搬送モータ４２２は、図示外のねじ軸を軸心まわりに回転可能である。一対のガイドレール４２３は、基部４２１において図示外のねじ軸の左側および右側に配置され、且つ図示外のねじ軸と並んで上下方向に延びる。
【００７４】
図１０および図１１に示すように、可動部４０１は、搬送部４０２の後側、且つ、平面視で表紙供給口２２（図１参照）の範囲内に配置されている。可動部４０１は、支持板４１１、一対の摺動部４１２、図示外のナット、支持枠４１３，４１４、後レール４１５，４１６、前レール４１７，４１８、連結枠４１９を含む。支持板４１１は、正面視で略正方形状の板状体である。一対の摺動部４１２は、支持板４１１の前面における左端部および右端部に設けられている。各摺動部４１２は、それぞれ対応するガイドレール４２３に沿って移動可能な摺動部材である。図示外のナットは、支持板４１１の前面の略中央部に設けられ、且つ搬送部４０２のねじ軸（図示外）が挿通されている。
【００７５】
支持枠４１３，４１４は、それぞれ、支持板４１１の後面における左端部および右端部に設けられている。支持枠４１３，４１４は、互いに左右方向に対向配置され、上下方向に延びる柱状体である。後レール４１５，４１６は、それぞれ支持枠４１３，４１４の後面に設けられ、且つ、後述の接触位置を通って上下方向に並行して延びる。後レール４１５，４１６は、表紙９の上下方向の長さ以上であり、支持板４１１の上端部よりも上側まで延び、且つ、支持板４１１の下端部よりも下側まで延びている。後レール４１５，４１６は、後述の上クランプ４３０および下クランプ４４０を上下方向に案内可能である。
【００７６】
前レール４１７，４１８は、支持板４１１の後面において、支持枠４１３，４１４の間に設けられている。前レール４１７，４１８は、それぞれ、支持枠４１３の右側および支持枠４１４の左側に配置され、且つ上下方向に並行して延びる。前レール４１７，４１８は、支持板４１１の上端部から下端部まで延びている。前レール４１７，４１８は、後述の上クランプ４７０および下クランプ４８０を上下方向に案内可能である。連結枠４１９は、支持板４１１の上端部から後側に延びる板状体であって、且つ平面視で左右方向が長手方向の矩形状である。
【００７７】
図１１および図１２に示すように、可動部４０１は、表紙保持ユニット４００に供給される表紙９を前後方向から把持可能な第一クランプ４０３を含む。第一クランプ４０３は、上クランプ４３０および下クランプ４４０を含む。上クランプ４３０および下クランプ４４０は、上下方向に並んで配置され、各々異なる上下方向位置で表紙９を選択的に把持および開放する。
【００７８】
上クランプ４３０は、後板４３１、前板４３２、左ソレノイド４３３、開閉リンク４３４、右ソレノイド４３５、開閉リンク４３６、摺動部４３７，４３８、一対の連結軸４３９を含む。後板４３１は、上下方向および左右方向に延びる板状体であり、且つ左右方向が長手方向の矩形状である。後板４３１は、支持枠４１３，４１４の後側に配置されている。摺動部４３７，４３８は、それぞれ、後板４３１の前面における左端部および右端部に設けられている。摺動部４３７は、後レール４１５に沿って移動可能である。摺動部４３８は、後レール４１６に沿って移動可能である。
【００７９】
後板４３１は、摺動部４３７の右側に形成された貫通穴４３１Ａと、摺動部４３８の左側に形成された貫通穴４３１Ｂとを有する。貫通穴４３１Ａ，４３１Ｂは、後板４３１を前後方向に貫通する。左ソレノイド４３３は、後板４３１の後面且つ貫通穴４３１Ａの右側に設けられる。開閉リンク４３４は、貫通穴４３１Ａに配置された、平面視で略Ｌ字型の板状体である。右ソレノイド４３５は、後板４３１の後面且つ貫通穴４３１Ｂの左側に設けられる。開閉リンク４３６は、貫通穴４３１Ｂに配置された、平面視で略Ｌ字型の板状体である。
【００８０】
前板４３２は、後板４３１の前側に配置され、且つ後板４３１と略平行に延びる板状体である。前板４３２の左端部および右端部は、それぞれ、貫通穴４３１Ａ，４３１Ｂと前後方向に対向する。一対の連結軸４３９は、貫通穴４３１Ａの右側および貫通穴４３１Ｂの左側に配置され、且つ、後板４３１の前面から前方に突出する軸である。一対の連結軸４３９は、前板４３２を前後方向に貫通し、且つ前板４３２を前後方向に移動可能に支持する。前後方向に対向する後板４３１と前板４３２との隙間が、操作領域４３０Ａである。
【００８１】
後板４３１および前板４３２は、それぞれ誘導面４３０Ｂ，４３０Ｃを有する。誘導面４３０Ｂは、操作領域４３０Ａと対向する左右方向の範囲に亘って、後板４３１の上面から前側下方に傾斜する面である。誘導面４３０Ｃは、操作領域４３０Ａと対向する左右方向の範囲に亘って、前板４３２の上面から後側下方に傾斜する面である。つまり、誘導面４３０Ｂ，４３０Ｃが形成された操作領域４３０Ａの上端部は、操作領域４３０Ａのうちで最も前後方向の開口幅が大きい。
【００８２】
図１３に示すように、右ソレノイド４３５は、右方向に延びる軸４３５Ａを有する。右ソレノイド４３５は、ＯＮされた場合に軸４３５Ａが退入し、ＯＦＦされた場合に軸４３５Ａが進出する。開閉リンク４３６は、上下方向に延びる軸４３６Ａを介して、貫通穴４３１Ｂ（図１１参照）内で支持されている。開閉リンク４３６は、貫通穴４３１Ｂの内側において、軸４３６Ａを中心に揺動可能である。円柱状の連結軸４３６Ｄは、開閉リンク４３６の後側の端部４３６Ｂから上方向に延びている。連結軸４３６Ｄは、軸４３５Ａに連結されている。開閉リンク４３６の前側の端部４３６Ｃは、前板４３２の後面の右端部に接している。各連結軸４３９は、前板４３２を後方に付勢する巻きバネ４３９Ａ（図１４参照）を有する。
【００８３】
図示しないが、左ソレノイド４３３は、右ソレノイド４３５と同様に、左方向に延びる軸を有する。開閉リンク４３４は、開閉リンク４３６と同様に、貫通穴４３１Ａの内側で揺動可能に支持されている。開閉リンク４３４の後側の端部は、左ソレノイド４３３の軸と連結されている。開閉リンク４３４の前側の端部は、前板４３２の後面の左端部に接している。
【００８４】
図１１および図１２に示すように、下クランプ４４０は、上クランプ４３０と同様の構造を有する。下クランプ４４０は、後板４４１、前板４４２、左ソレノイド４４３、開閉リンク４４４、右ソレノイド４４５、開閉リンク４４６、一対の摺動部（図示外）、一対の連結軸４３９を含む。後板４４１は、一対の摺動部（図示外）を介して、後レール４１５，４１６に沿って移動可能である。前板４４２は、一対の連結軸４３９を介して、後板４４１の前側に配置されている。
【００８５】
開閉リンク４４４，４４６は、それぞれ、後板４４１に形成された貫通穴４４１Ａ，４４１Ｂに配置されている。前後方向に対向する後板４４１と前板４４２との隙間が、操作領域４４０Ａである。後板４４１および前板４４２は、それぞれ、誘導面４３０Ｂ，４３０Ｃと同様の誘導面を有する。開閉リンク４４４は、左ソレノイド４４３の軸と連結され、且つ、前板４４２の後面の左端部に接している。開閉リンク４４６は、右ソレノイド４４５の軸と連結され、且つ、前板４４２の後面の右端部に接している。
【００８６】
操作領域４３０Ａ，４４０Ａは、表紙保持ユニット４００に供給される表紙９が通過可能な、左右方向に延びる空間である。操作領域４３０Ａ，４４０Ａは、互いに上下方向に対向し、且つ平面視で同一形状である。操作領域４３０Ａ，４４０Ａの左右方向長さは、表紙９の左右方向長さよりも大きい。操作領域４３０Ａ，４４０Ａの左右方向の中心位置は、表紙供給部６から供給される表紙９の左右方向の中心位置と略一致し、且つ、テーブル１１０の左右方向の中心位置と略一致する。
【００８７】
図１１に示すように、可動部４０１は、昇降モータ４５０、プーリ４５１，４５２、ベルト４５３、連結部４５４、位置決め板４５５を含む。昇降モータ４５０は、支持枠４１３の上端部の右側に設けられている。昇降モータ４５０は、支持枠４１３を貫通して左方向に延びる軸（図示外）を有する。昇降モータ４５０の軸の先端には、プーリ４５１が設けられている。プーリ４５２は、支持枠４１３の下端部の左側に設けられている。プーリ４５１，４５２は、支持枠４１３の左側において上下方向に対向する。ベルト４５３は、プーリ４５１，４５２に架け渡されている。連結部４５４は、後板４４１の前面における左端部に設けられ、且つベルト４５３に連結されている。位置決め板４５５は、支持枠４１３，４１４との間における連結枠４１９の上側に設けられた、左右方向に延びる板状体である。位置決め板４５５は、前板４３２の前面に設けられた位置決め突起（図示外）を下方から支持可能である。
【００８８】
可動部４０１は、突当て板４６０、昇降モータ４９０、ねじ軸４９１、第二クランプ４０４を含む。昇降モータ４９０は、連結枠４１９の上面における左右方向略中央に設けられている。ねじ軸４９１は、連結枠４１９を貫通して、昇降モータ４９０から下側に延びている。ねじ軸４９１の下端部は、支持板４１１の後面における中央下端部において、回転自在に支持されている。突当て板４６０は、上下方向および左右方向に延びる板状体であり、且つ左右方向が長手方向の矩形状である。突当て板４６０は、支持板４１１の上下方向略中央、且つ前レール４１７，４１８およびねじ軸４９１の後側に設けられている。突当て板４６０は、支持枠４１３，４１４に亘って左右方向に架設されている。突当て板４６０の上下方向長さは、載置面１１０Ａの上にある用紙束８の前端面の上下方向長さよりも大きい。
【００８９】
第二クランプ４０４は、用紙束８が表紙９で包まれた裁断前の冊子１０（図２４参照）を上下方向から把持可能である。第二クランプ４０４は、上クランプ４７０および下クランプ４８０を含む。上クランプ４７０および下クランプ４８０は、突当て板４６０を挟んで上下方向に対向配置され、各々の昇降によって冊子１０を選択的に把持および開放する。
【００９０】
上クランプ４７０は、可動体４７１、クランプ体４７２、一対の摺動部４７３、図示外のナットを含む。可動体４７１は、前レール４１７の後側から前レール４１８の後側まで左右方向に延びる略柱状体である。一対の摺動部４７３は、可動体４７１の前面における左端部および右端部に設けられている。各摺動部４７３は、それぞれ対応する前レール４１７，４１８に沿って移動可能な摺動部材である。図示外のナットは、可動体４７１の前面の略中央部に設けられ、且つねじ軸４９１が挿通されている。クランプ体４７２は、可動体４７１の後面に設けられ、且つクランプ体４７２の下側に突出する板状体である。クランプ体４７２は、上下方向および左右方向に延びる板状体であり、且つ左右方向が長手方向の矩形状である。
【００９１】
下クランプ４８０は、上クランプ４７０と同様の構造を有し、且つ上クランプ４７０と略上下対称である。下クランプ４８０は、可動体４８１、クランプ体４８２、一対の摺動部４８３、図示外のナットを含む。可動体４８１は、一対の摺動部４８３を介して前レール４１７，４１８に連結され、且つ、図示外のナットを介してねじ軸４９１に連結されている。ただし、ねじ軸４９１が一方向に回転した場合に、可動体４７１のナットがねじ軸４９１の回転運動を変換する直線運動の方向と、可動体４８１のナットがねじ軸４９１の回転運動を変換する直線運動の方向とは、互いに反対の方向である。クランプ体４８２は、可動体４８１の後面に設けられ、且つクランプ体４８２の上側に突出する板状体である。
【００９２】
突当て板４６０およびクランプ体４７２，４８２の左右方向の中心位置は、いずれも、表紙供給部６から供給される表紙９の左右方向の中心位置と略一致し、且つ、テーブル１１０の左右方向の中心位置と略一致する。突当て板４６０およびクランプ体４７２，４８２は、表紙供給部６から供給される表紙９を左右方向に含む範囲に亘って、左右方向に延びている。
【００９３】
上記の構造により、表紙保持ユニット４００は以下の動作を実行可能である。図１０を参照して、可動部４０１の昇降動作を説明する。搬送モータ４２２が図示外のねじ軸を回転駆動すると、図示外のナットが設けられた支持板４１１が、一対のガイドレール４２３に沿って上下方向に移動する。可動部４０１は、テーブル１１０の可動範囲よりも前側で上下方向に移動する。可動部４０１は、可動部４０１が表紙供給口２２を介して本体枠２の上側に突出する位置まで、上方向に移動可能である。可動部４０１の可動範囲は、基準位置を含む。基準位置は、正面視で突当て板４６０が載置面１１０Ａの上にある用紙束８の全体を覆う、可動部４０１の上下方向位置である。
【００９４】
図１１を参照して、第一クランプ４０３の昇降動作を説明する。昇降モータ４５０が図示外の軸を回転駆動すると、プーリ４５１，４５２およびベルト４５３を介して、連結部４５４が設けられた下クランプ４４０は、後レール４１５，４１６に沿って上下方向に移動する。下クランプ４４０が上クランプ４３０に接触していない場合、上クランプ４３０は上基準位置に保持される。上基準位置は、上クランプ４３０の位置決め突起（図示外）が位置決め板４５５によって支持される、上クランプ４３０の上下方向位置である。つまり、位置決め板４５５は、後述の接触位置よりも上側に設けられ、上クランプ４３０の下側への移動を制限する。
【００９５】
上クランプ４３０は、後レール４１５，４１６に沿って自重によって位置決め板４５５まで下側に移動可能である。上方向に移動する下クランプ４４０は、上基準位置に位置する上クランプ４３０に下側から接触して、上クランプ４３０を支持した状態で上方向に移動する。つまり上クランプ４３０は、上側に移動する下クランプ４４０に押圧されることによって、位置決め板４５５から上側に移動可能である。上クランプ４３０および下クランプ４４０は、上下方向に並んだ状態で可動範囲の上端部まで移動する。
【００９６】
下クランプ４４０が可動範囲の上端部から下方向に移動する場合、下クランプ４４０によって支持されている上クランプ４３０は、自重によって上基準位置まで下方向に移動する。上クランプ４３０が上基準位置に達すると、下クランプ４４０は上クランプ４３０から離間して下方向に移動する。下方向に移動する下クランプ４４０は、下基準位置を経由して、可動範囲の下端部まで移動する。下基準位置は、突当て板４６０を挟んで上基準位置と上下方向に対称となる、下クランプ４４０の上下方向位置である。つまり、突当て板４６０から上基準位置までの距離と、突当て板４６０から下基準位置までの距離とは、略同じである。なお、上基準位置から下基準位置までの距離は、表紙保持ユニット４００に供給される表紙９の上下方向長さよりも若干小さい。
【００９７】
図１２〜図１４を参照して、第一クランプ４０３のクランプ動作を説明する。図１２および図１３に示すように、右ソレノイド４３５が軸４３５Ａを退入させた場合、端部４３６Ｂは連結軸４３６Ｄを介して左方向に移動される。このとき、開閉リンク４３６が軸４３６Ａを中心に揺動するのに伴って、端部４３６Ｃは前方向に移動して前板４３２を前側に付勢する。同様に、左ソレノイド４３３が軸を退入させた場合、開閉リンク４３４は前板４３２を前側に付勢する。したがって、左ソレノイド４３３および右ソレノイド４３５がいずれもＯＮされた場合、前板４３２は巻きバネ４３９Ａの付勢力に抗って、連結軸４３９に沿って前側に移動する。前板４３２は後板４３１から離間するため、操作領域４３０Ａが開放される。
【００９８】
図１４に示すように、右ソレノイド４３５が軸４３５Ａを進出させた場合、端部４３６Ｂは連結軸４３６Ｄを介して右方向に移動される。このとき、開閉リンク４３６が軸４３６Ａを中心に揺動するのに伴って、端部４３６Ｃは後方向に移動する。前板４３２は、巻きバネ４３９Ａの付勢力によって、連結軸４３９に沿って後側に移動する。同様に、左ソレノイド４３３が軸を進出させた場合、前板４３２は後側に移動する。したがって、左ソレノイド４３３および右ソレノイド４３５がいずれもＯＦＦされた場合、前板４３２は巻きバネ４３９Ａの付勢力によって後板４３１に近接し、操作領域４３０Ａが閉鎖される。
【００９９】
下クランプ４４０のクランプ動作は、上クランプ４３０のクランプ動作と同様である。左ソレノイド４４３および右ソレノイド４４５がいずれもＯＮされた場合、操作領域４４０Ａが開放される。左ソレノイド４４３および右ソレノイド４４５がいずれもＯＦＦされた場合、操作領域４４０Ａが閉鎖される。
【０１００】
図１１を参照して、第二クランプ４０４の昇降動作を説明する。昇降モータ４９０がねじ軸４９１を回転駆動すると、図示外のナットが設けられた可動体４７１は、前レール４１７，４１８に沿って上下方向に移動する。同時に、図示外のナットが設けられた可動体４８１は、前レール４１７，４１８に沿って可動体４７１とは反対方向に移動する。つまりクランプ体４７２，４８２は、突当て板４６０を挟んで上下対称に、互いに近接または離間する方向に移動する。
【０１０１】
可動体４７１は、突当て板４６０の上端部に接触する位置まで、下方向に移動可能である。可動体４７１が可動範囲の下端部に移動したとき、クランプ体４７２は突当て板４６０の上端部よりも若干下側に突出する。可動体４８１は、突当て板４６０の下端部に接触する位置まで、上方向に移動可能である。可動体４８１が可動範囲の上端部に移動したとき、クランプ体４８２は突当て板４６０の下端部よりも若干上側に突出する。可動体４７１が可動範囲の下端部に移動し、且つ、可動体４８１が可動範囲の上端部に移動したとき、クランプ体４７２，４８２の上下方向距離（つまり、クランプ体４７２，４８２の隙間）が最も小さくなる。このとき、クランプ体４７２，４８２の上下方向距離は、冊子１０の上下方向長さよりも小さい。
【０１０２】
＜８．裁断ユニット５００の詳細構造＞
図１５、図１６、図２８を参照して、裁断ユニット５００の詳細構造を説明する。図１５に示す裁断ユニット５００では、摺動部５２７を除いて、右裁断部５２０が省略されている（後述の図２７も同様）。図１５では、前揃え板２３１が紙揃え位置にあり、テーブル１１０が後述の第四搬送位置にある。図１５、図１６、図２８では、左裁断部５１０および右裁断部５２０は各々の可動範囲の左端部および右端部にあり、裁断部材５１３，５２３，５３３は各々の可動範囲の上端部にある。
【０１０３】
図１５、図１６、図２８に示すように、裁断ユニット５００は、第一搬送位置のテーブル１１０よりも後方向に配置され、左裁断部５１０、右裁断部５２０、後裁断部５３０、駆動部５４０を含む。左裁断部５１０は、冊子１０（図２４参照）の左端面を裁断する。右裁断部５２０は、冊子１０の右端面を裁断する。後裁断部５３０は、冊子１０の後端面を裁断する。駆動部５４０は、左裁断部５１０、右裁断部５２０、後裁断部５３０の各種動作を実行する。
【０１０４】
駆動部５４０は、基部５４１、ベルトコンベア５４２、一対の左レール５４３、ねじ軸５４４、一対の右レール５４５、図示外の搬送モータを含む。基部５４１は、正面視で略正方形状の板状体である。基部５４１は、本体枠２の後側部分に配置された状態で、本体枠２に連結固定されている。ベルトコンベア５４２は、基部５４１の上面における左右方向略中央に設けられ、且つ、基部５４１の前後方向全体に亘って延びている。ベルトコンベア５４２の前端部は、基部５４１の前側に突出している。ベルトコンベア５４２は、円環状のベルト５４２Ａを、側面視で時計回り方向または反時計周り方向に回転させる。ベルト５４２Ａのうちでベルトコンベア５４２の上面側を移動する部分は、搬送面である。ベルト５４２Ａの搬送面は、載置面１１０Ａよりも僅かに上側で前後方向に延びている。ベルト５４２Ａの搬送面の左右方向位置は、テーブル１１０の左右方向中心位置と略一致する。
【０１０５】
一対の左レール５４３は、基部５４１の上面におけるベルトコンベア５４２の左側に設けられ、且つ前後方向に並んで左右方向に延びている。一対の右レール５４５は、基部５４１の上面におけるベルトコンベア５４２の右側に設けられ、且つ前後方向に並んで左右方向に延びている。一対の左レール５４３および一対の右レール５４５は、ベルトコンベア５４２を挟んで左右対称に配置されている。ねじ軸５４４は、基部５４１の上面において、一対の左レール５４３の間に設けられ、且つ一対の右レール５４５の間に設けられる。ねじ軸５４４は、基部５４１の左端部および右端部に亘って、ベルトコンベア５４２を貫通して左右方向に延びている。図示外の搬送モータは、ねじ軸５４４を回転駆動する。
【０１０６】
左裁断部５１０は、駆動モータ５１１、動力変換部５１２、裁断部材５１３、支持部５１６、一対の摺動部５１７、図示外のナット、図示外のまな板を含む。支持部５１６は、支持柱５１６Ａ，５１６Ｂおよび連結板５１６Ｃを含む。支持柱５１６Ａ，５１６Ｂは、前後方向に並んで上下方向に延びる柱状体である。連結板５１６Ｃは、支持柱５１６Ａ，５１６Ｂに対して左側から連結される、前後方向に延びる板状体である。一対の摺動部５１７は、支持柱５１６Ａ，５１６Ｂの各下端部に設けられている。各摺動部５１７は、それぞれ対応する左レール５４３に沿って移動可能な摺動部材である。図示外のナットは、連結板５１６Ｃの下端部に設けられ、且つねじ軸５４４が挿通されている。
【０１０７】
動力変換部５１２は、連結板５１６Ｃの左側に設けられている。駆動モータ５１１は、動力変換部５１２の下側に設けられている。駆動モータ５１１から上側に延びる軸（図示外）は、動力変換部５１２に接続している。動力変換部５１２は、駆動モータ５１１の軸（図示外）から出力される上下方向を中心とした回転運動を、左右方向を中心とした回転運動に変換する。動力変換部５１２から右側に延びる軸５１２Ａは、裁断部材５１３に接続されている。裁断部材５１３は、支持柱５１６Ａ，５１６Ｂの間で上下方向に移動可能に支持されている。
【０１０８】
裁断部材５１３は、押え部材５１４および裁断刃５１５を含む。裁断刃５１５は、冊子１０の用紙束端面を上下方向に裁断可能な、前後方向に延びる刃である。押え部材５１４は、冊子１０を裁断刃５１５に沿って上方から付勢する部材である。押え部材５１４および裁断刃５１５の前後方向長さは、冊子１０の前後方向長さよりも大きい。押え部材５１４は、裁断刃５１５の右側に連結されている。押え部材５１４が冊子１０を付勢していない状態では、押え部材５１４の下端部は裁断刃５１５の下端部よりも下方に位置する。裁断部材５１３が可動範囲の上端部にある場合、押え部材５１４の下端部とベルト５４２Ａの搬送面との上下方向距離は、冊子１０の上下方向長さよりも大きい。図示外のまな板は、支持部５１６によって裁断刃５１５の下方で支持されている。図示外のまな板は、ベルト５４２Ａの搬送面と同一の高さ位置に設けられた、裁断刃５１５の先端部を受ける板状部材である。
【０１０９】
図１６および図２８に示すように、右裁断部５２０は、左裁断部５１０と同様の構造を有し、且つ左裁断部５１０と略左右対称である。右裁断部５２０は、駆動モータ５２１、動力変換部５２２、裁断部材５２３、支持部５２６、一対の摺動部５２７、図示外のナット、まな板５２９を含む。裁断部材５２３は、一対の摺動部５２７を介して、一対の左レール５４３に連結されている。図示外のナットは、ねじ軸５４４が挿通されている。ただし、ねじ軸５４４が一方向に回転した場合に、右裁断部５２０のナットがねじ軸５４４の回転運動を変換する直線運動の方向と、左裁断部５１０のナットがねじ軸５４４の回転運動を変換する直線運動の方向とは、互いに反対の方向である。駆動モータ５２１から上側に延びる軸５２１Ａは、動力変換部５２２に接続している。動力変換部５２２から左側に延びる軸５２２Ａは、裁断部材５２３に接続されている。裁断部材５２３は、押え部材５２４および裁断刃５２５を含む。まな板５２９は、支持部５２６によって裁断刃５２５の下方で支持された、裁断刃５２５の先端部を受ける板状部材である。
【０１１０】
後裁断部５３０は、駆動モータ５３１、動力変換部５３２、裁断部材５３３、支持部５３６、まな板５３９を含む。支持部５３６は、支持柱５３６Ａ，５３６Ｂを含む。支持柱５３６Ａ，５３６Ｂは、左右方向に並んで上下方向に延びる柱状体である。支持柱５３６Ａは、基部５４１の上面の左端部、且つ、左裁断部５１０の後側に設けられている。支持柱５３６Ｂは、基部５４１の上面の右端部、且つ、右裁断部５２０の後側に設けられている。動力変換部５３２は、支持柱５３６Ａの後側に設けられている。
【０１１１】
駆動モータ５３１は、動力変換部５３２の右側に設けられている。駆動モータ５３１から左側に延びる軸（図示外）は、動力変換部５３２に接続している。動力変換部５３２は、駆動モータ５３１の軸５３１Ａから出力される左右方向を中心とした回転運動を、前後方向を中心とした回転運動に変換する。動力変換部５３２から前側に延びる軸５３２Ａは、裁断部材５３３に接続されている。裁断部材５３３は、支持柱５３６Ａ，５３６Ｂの間で上下方向に移動可能に支持されている。
【０１１２】
裁断部材５３３は、押え部材５３４および裁断刃５３５を含む。裁断刃５３５は、冊子１０を上下方向に裁断可能な、左右方向に延びる刃である。押え部材５３４は、冊子１０を裁断刃５３５に沿って上方から付勢する部材である。押え部材５３４および裁断刃５３５の左右方向長さは、冊子１０の左右方向長さよりも大きい。押え部材５３４は、裁断刃５３５の前側に連結されている。押え部材５３４が冊子１０を付勢していない状態では、押え部材５３４の下端部は裁断刃５３５の下端部よりも下方に位置する。裁断部材５３３が可動範囲の上端部にある場合、押え部材５３４の下端部とベルト５４２Ａの搬送面との上下方向距離は、冊子１０の上下方向長さよりも大きい。まな板５３９は、支持部５３６によって裁断刃５３５の下方で支持されている。まな板５３９は、ベルト５４２Ａの搬送面と同一の高さ位置に設けられた、裁断刃５３５の先端部を受ける板状部材である。
【０１１３】
上記の構造により、ベルトコンベア５４２がベルト５４２Ａを回転駆動すると、ベルト５４２Ａの搬送面上の対象物は前後方向に移動する。図示外の搬送モータがねじ軸５４４を回転駆動すると、図示外のナットが設けられた支持部５１６は、一対の左レール５４３に沿って左右方向に移動する。同時に、図示外のナットが設けられた支持部５２６は、一対の右レール５４５に沿って支持部５１６とは反対方向に移動する。つまり左裁断部５１０および右裁断部５２０は、ベルトコンベア５４２を挟んで左右対称に、互いに近接または離間する方向に移動する。左裁断部５１０が可動範囲の左端部に移動し、且つ、右裁断部５２０が可動範囲の右端部に移動したとき、左裁断部５１０および右裁断部５２０の左右方向距離が最も大きくなる。このとき、左裁断部５１０および右裁断部５２０の左右方向距離は、冊子１０の左右方向長さよりも大きい。
【０１１４】
駆動モータ５１１が図示外の軸を回転駆動すると、動力変換部５１２によって変換された回転運動によって、裁断部材５１３が上下方向に移動する。駆動モータ５２１が軸５２１Ａを回転駆動すると、動力変換部５２２によって変換された回転運動によって、裁断部材５２３が上下方向に移動する。駆動モータ５３１が軸５３１Ａを回転駆動すると、動力変換部５３２によって変換された回転運動によって、裁断部材５３３が上下方向に移動する。
【０１１５】
＜９．製本装置１の製本動作＞
図１７〜図３０を参照して、製本装置１の製本動作を説明する。図１７、図２１、図２２、図２４〜図２６は、製本装置１の左側面視で、各々の動作状態の説明に必要な構成を示している。ユーザが制御部９００に製本動作の開始指示を入力すると、制御部９００の制御によって、以下の製本動作が実行される。まず、製本装置１が初期状態に復帰される。紙揃えユニット１００、束操作ユニット２００、糊付けユニット３００、表紙保持ユニット４００、裁断ユニット５００が、それぞれ初期状態に制御される。
【０１１６】
紙揃えユニット１００の初期状態では、テーブル１１０は第一搬送位置に位置決めされる。左揃え板１３０および右揃え板１４０は、それぞれ離間位置に位置決めされる。後揃え板１５０は、上昇位置および離間位置に位置決めされる（図５〜図７参照）。束操作ユニット２００の初期状態では、前揃え板２３１は紙揃え位置に位置決めされる（図５、図７参照）。糊付けユニット３００の初期状態では、糊塗布部３４０は退避位置に位置決めされる。糊塗布ローラ３５０の回転は停止される（図５、図８、図９参照）。
【０１１７】
表紙保持ユニット４００の初期状態では、可動部４０１が基準位置に位置決めされる。第一クランプ４０３の上クランプ４３０および下クランプ４４０は、それぞれ上基準位置および下基準位置に位置決めされる。操作領域４３０Ａ，４４０Ａが、いずれも閉鎖される。第二クランプ４０４の上クランプ４７０および下クランプ４８０は、各々の可動範囲の上端部および下端部に位置決めされる（図１０〜図１４参照）。裁断ユニット５００の初期状態では、左裁断部５１０および右裁断部５２０は、各々の可動範囲の左端部および右端部に位置決めされる。裁断部材５１３，５２３，５３３は、各々の可動範囲の上端部に位置決めされる（図１５、図１６、図２８参照）。
【０１１８】
次に、第一プリンタ３は、冊子の中身に表す画像を複数枚の用紙８Ａに印刷する。用紙供給部５は、印刷された用紙８Ａを紙揃えユニット１００に向けて搬送する。用紙８Ａは、複数の搬送ローラ５６によって用紙供給部５から載置面１１０Ａに排出される。図５〜図７に示すように、排出された用紙８Ａは、左揃え板１３０、右揃え板１４０、後揃え板１５０、前揃え板２３１によって前後左右に囲まれる領域内に落下し、載置面１１０Ａの上に積み重なる。載置面１１０Ａの上で印刷順に重なる複数枚の用紙８Ａは、載置面１１０Ａの上で用紙束８を形成する。用紙８Ａは載置面１１０Ａよりも一回り大きいため、載置面１１０Ａの上にある用紙束８は平面視でテーブル１１０から前後方向および左右方向に若干突出する。
【０１１９】
図１７に示すように、全ての用紙８Ａが載置面１１０Ａに供給されたのち、左揃え板１３０が離間位置から右方向に移動され、且つ、右揃え板１４０が離間位置から左方向に移動される。左揃え板１３０が、テーブル１１０の左側に突出する用紙束８の左端面に接触する。用紙束８の左端面は、左揃え板１３０の右面に沿って紙揃えされる。右揃え板１４０が、テーブル１１０の右側に突出する用紙束８の右端面に接触する。用紙束８の右端面は、右揃え板１４０の左面に沿って紙揃えされる。左揃え板１３０および右揃え板１４０は、用紙束８を左右両側から付勢することで、用紙束８の左右方向の中心位置をテーブル１１０の左右方向の中心位置に一致させる。
【０１２０】
後揃え板１５０が離間位置から前方向に移動される。後揃え板１５０は、テーブル１１０の後側に突出する用紙束８の後端面に接触して、用紙束８を前方に付勢する。用紙束８の後端面は、後揃え板１５０の前面に沿って紙揃えされる。このとき、テーブル１１０の前側に突出する用紙束８の前端面は、前揃え板２３１の後面に押圧される。用紙束８の前端面は、前揃え板２３１の後面に沿って紙揃えされる。先述したように、紙揃え位置にある前揃え板２３１の後面の前後方向位置は、糊塗布ローラ３５０の糊塗布面の前後方向位置と略一致する。したがって、紙揃えされた用紙束８の前端面は、糊塗布部３４０の糊塗布領域内に位置決めされる。
【０１２１】
上述した用紙８Ａの印刷および用紙束８の紙揃えのいずれかが実行される前（または、実行中に）、以下の動作が実行される。図１８に示すように、第二プリンタ４は、冊子の表紙に表す画像を表紙９に印刷する。束操作ユニット２００において、可動部２０１が基準位置から上方向に移動されて、受取位置に位置決めされる。受取位置は、可動部４０１が表紙供給口２２を介して本体枠２の上側に突出し、且つ上クランプ４３０の可動範囲の上端部が経路出口６５の直下に位置する、可動部４０１の上下方向位置である。
【０１２２】
上クランプ４３０および下クランプ４４０が、可動範囲の上端部まで移動される。操作領域４３０Ａ，４４０Ａが、いずれも開放される。印刷された表紙９は、表紙供給部６によって表紙供給口２２に向けて案内される。経路出口６５から排出された表紙９は、経路出口６５の直下に位置する上クランプ４３０の操作領域４３０Ａに進入し、さらに上クランプ４３０の直下に位置する下クランプ４４０の操作領域４４０Ａに進入する。操作領域４３０Ａ，４４０Ａの上端部は、いずれも先述の誘導面４３０Ｂ，４３０Ｃによって前後方向の開口幅が大きい。そのため表紙９は、操作領域４３０Ａ，４４０Ａに進入しやすい。
【０１２３】
図１９に示すように、表紙９の下辺部が操作領域４４０Ａに進入すると、操作領域４４０Ａが閉鎖される。表紙９の下辺部が、後板４４１と前板４４２との間で把持される。下クランプ４４０は、表紙９の下辺部を把持した状態で下方向に移動される。下クランプ４４０の移動に伴って、操作領域４３０Ａに表紙９が挿入された状態で、上クランプ４３０は自重によって上基準位置まで下方向に移動する。上クランプ４３０が上基準位置に達したのち、下クランプ４４０は上クランプ４３０から離間して下基準位置まで下方向に移動される。下クランプ４４０が下基準位置に位置決めされると、操作領域４３０Ａが閉鎖される。表紙９の上辺部が、後板４３１と前板４３２との間で把持される。つまり上クランプ４３０および下クランプ４４０は、表紙９を上下方向および左右方向に延びる姿勢で保持する。
【０１２４】
図２０および図２１に示すように、表紙９を保持する可動部４０１が、基準位置まで下方向に移動される。一方、用紙束８の紙揃えが実行されたのち、束操作部２３０は第一垂直位置から第二垂直位置まで上方に移動される。さらに束操作部２３０は、第一水平位置から第二水平位置まで後方に移動される。第二水平位置は、押え板２３２の前端部とテーブル１１０の前端部との前後方向位置が略一致する、束操作部２３０の前後方向位置である。束操作部２３０は、第二水平位置に達したのち、第二垂直位置から下方向に移動される。押え板２３２の下面は、用紙束８の上面に接触して、用紙束８を下方に付勢する。このとき、押え板２３２は、テーブル１１０との間で用紙束８の前端部近傍を挟持する位置（紙押え位置）にある。
【０１２５】
押え板２３２が紙押え位置に移動されたのち、糊塗布ローラ３５０が回転駆動され、且つ、糊塗布部３４０が退避位置から左方向に移動される。つまり、糊塗布部３４０は、用紙束８の前端面に対して右方向に離間した位置に退避した状態から、左右方向に沿って用紙束８の前端面と対向する位置に移動する。糊塗布部３４０は、糊塗布領域の範囲内で、用紙束８の前側から後方に糊７を塗布する。具体的には、糊塗布ローラ３５０の糊塗布面が、前揃え板２３１によって位置決め且つ紙揃えされた用紙束８の前端面に接触し、用紙束８の前端面に糊７を塗布する。糊塗布部３４０は、テーブル１１０の可動範囲内を左右方向に複数回往復移動される。これにより、十分な量の糊７が、用紙束８の前端面の全体に亘って塗布される。用紙束８の前端面に塗布された糊７が、表紙９の接着部を形成する。その後、糊塗布部３４０は退避位置に戻る。
【０１２６】
次いで、テーブル１１０が第一搬送位置から前方に移動され、且つ、束操作部２３０はテーブル１１０と同期して第二水平位置から前方に移動される。束操作部２３０は、テーブル１１０と同じ移動速度で、テーブル１１０の同じ移動距離だけ移動される。これにより、押え板２３２は紙押え位置を変化させることなく、テーブル１１０の前端部との間で用紙束８を挟持しつつ移動する。テーブル１１０は、第二搬送位置まで前方に移動される。第二搬送位置は、用紙束８の前端面が突当て板４６０に押圧される、テーブル１１０の前後方向位置である。
【０１２７】
テーブル１１０は、第一搬送位置から第二搬送位置に移動する途中で、第三搬送位置を経由する。第三搬送位置は、用紙束８の前端面が表紙９に接触する、テーブル１１０の前後方向位置である。テーブル１１０が第三搬送位置に向けて移動する場合、接着部が表紙９と接触する位置である接触位置まで、用紙束８は搬送される。このとき、上クランプ４３０は、表紙９の上辺部を接触位置よりも上側で保持している。下クランプ４４０は、表紙９の下辺部を接触位置よりも下側で保持している。テーブル１１０が第三搬送位置に達すると、押え板２３２によって押圧されている用紙束８の前端面が、上クランプ４３０および下クランプ４４０によって保持されている表紙９の後面に接触する。表紙９は、用紙束８の前端面に形成された接着部に貼り付けられる。
【０１２８】
テーブル１１０が第三搬送位置から第二搬送位置に移動するとき、操作領域４３０Ａ，４４０Ａが開放される。上クランプ４３０から開放された表紙９の上辺部が、操作領域４３０Ａから下方に抜け出す。下クランプ４４０から開放された表紙９の下辺部が、操作領域４４０Ａから上方に抜け出す。下クランプ４４０は、操作領域４４０Ａが開放されたのち、下基準領域から可動範囲の下端部まで移動される。つまり、下クランプ４４０は、表紙９の上辺部および下辺部が開放されたのち、接触位置から離間する方向に移動される。テーブル１１０が第二搬送位置に達すると、押え板２３２によって押圧されている用紙束８の前端面は、表紙９を介して突当て板４６０に押圧される。これにより表紙９は、用紙束８の前端面に形成された接着部に対して、より確実に貼り付けられる。
【０１２９】
図２２および図２３に示すように、テーブル１１０が第三搬送位置に移動すると、上クランプ４７０および下クランプ４８０が互いに近接する方向に移動される。下方向に移動する上クランプ４７０のクランプ体４７２が、用紙束８の上面における前縁部に対して表紙９を付勢する。付勢するクランプ体４７２は、表紙９の上側部分を後方に折り曲げる。上方向に移動する下クランプ４８０のクランプ体４８２が、用紙束８の下面における前縁部に対して表紙９を付勢する。付勢するクランプ体４８２は、表紙９の下側部分を後方に折り曲げる。これにより、表紙９で包まれた用紙束８である冊子１０が作成される。クランプ体４７２，４８２は、突当て板４６０の後側において、冊子１０の前端部を上下両側から挟持する。
【０１３０】
次いで、図２４に示すように、押え板２３２が紙押え位置にある状態から、束操作部２３０が第二垂直位置に向けて上方向に移動される。押え板２３２が冊子１０から離間したのち、束操作部２３０は第二水平位置まで後方向に移動され、且つ、テーブル１１０は第二搬送位置から第一搬送位置に向けて移動される。テーブル１１０から離間した冊子１０は、冊子１０の前端部がクランプ体４７２，４８２で挟持された状態で、自重により後方下側に垂下する。
【０１３１】
次いで、図２５に示すように、可動部４０１が基準位置から受取位置に向けて上方向に移動される。可動部４０１が受取位置に達したのち、テーブル１１０が第一搬送位置から第二搬送位置に向けて移動される。テーブル１１０は、クランプ体４７２，４８２で挟持されている冊子１０の下側に移動する。図２６に示すように、テーブル１１０が第二搬送位置に達したのち、可動部４０１が受取位置から基準位置に向けて下方向に移動される。クランプ体４７２，４８２で挟持されている冊子１０は、載置面１１０Ａの上に載置される。その後、クランプ体４７２，４８２は互いに離間する方向に移動する。クランプ体４７２，４８２による冊子１０の挟持が解除される。なお、クランプ体４７２，４８２は、接着部が表紙９と用紙束８の前端面とを十分に接着させるのに必要な時間に亘って、冊子１０を挟持することが好適である。クランプ体４７２，４８２は、冊子１０を確実に挟持できるように、公知の滑り止め加工が施されていることが好適である。
【０１３２】
次いで、図１５に示すように、テーブル１１０は第三搬送位置から第四搬送位置まで後方向に移動される。第四搬送位置は、ベルトコンベア５４２の前端部がテーブル１１０のスリット１１０Ｂに挿入される、テーブル１１０の前後方向位置である。テーブル１１０が第四搬送位置に位置決めされたのち、束操作部２３０は第二垂直位置から第一垂直位置に下方向に移動される。このとき、前揃え板２３１は、載置面１１０Ａの上にある冊子１０の若干前側に配置される。さらに、図２７に示すように、束操作部２３０は、第二水平位置から所定距離だけ後方向に移動される。前揃え板２３１の後面は、冊子１０の前端面に接触して、冊子１０を押圧して後方に移動させる。冊子１０は、スリット１１０Ｂに挿入されたベルトコンベア５４２に向けて移動し、ベルト５４２Ａの搬送面上に載置される。
【０１３３】
図２８に示すように、ベルトコンベア５４２は、ベルト５４２Ａを回転駆動して、冊子１０を第一裁断位置まで後方に搬送する。第一裁断位置は、左裁断部５１０および右裁断部５２０との間に位置する、冊子１０の前後方向位置である。図２９に示すように、冊子１０が第一裁断位置に達したのち、左裁断部５１０および右裁断部５２０は互いに近接する方向に移動される。このとき、左裁断部５１０および右裁断部５２０は、冊子１０の上側を通って、作成する冊子の左右方向長さに応じた左右方向位置に位置決めされる。
【０１３４】
左裁断部５１０が位置決めされたのち、裁断部材５１３は可動範囲の上端部から下方に移動される。このとき、押え部材５１４は、冊子１０を上側から押圧する。冊子１０を押圧する押え部材５１４に沿って、裁断刃５１５はその先端部が図示外のまな板に到達する位置まで下方に移動する。このとき、図示外のまな板の上にある冊子１０の左端面が、裁断刃５１５によって上下方向に裁断される。その後、裁断部材５１３は、可動範囲の上端部まで上方向に移動される。裁断された左端面（つまり、裁断刃５１５によって左右に分断された冊子１０の左側部分）は、自重によって本体枠２の下側に落下する。
【０１３５】
同様に、右裁断部５２０が位置決めされたのち、裁断部材５２３は可動範囲の上端部から下方に移動される。冊子１０を押圧する押え部材５２４に沿って、裁断刃５２５はその先端部がまな板５２９に到達する位置まで下方に移動する。まな板５２９の上にある冊子１０の右端面が、裁断刃５２５によって上下方向に裁断される。裁断された右端面（つまり、裁断刃５２５によって左右に分断された冊子１０の右側部分）は、自重によって本体枠２の下側に落下する。本実施形態では、左裁断部５１０および右裁断部５２０において、冊子１０の左端面および右端面が略同時に裁断される。なお、左裁断部５１０および右裁断部５２０において、冊子１０の左端面および右端面の一方が裁断された後に、冊子１０の左端面および右端面の他方を裁断されてもよい。
【０１３６】
図３０に示すように、冊子１０の左端面および右端面が裁断されたのち、左裁断部５１０および右裁断部５２０は、それぞれ可動範囲の左端部および右端部まで互いに離間する方向に移動される。ベルトコンベア５４２は、ベルト５４２Ａを回転駆動して、左端面および右端面が裁断された冊子１０を第二裁断位置まで後方に搬送する。第二裁断位置は、冊子１０が裁断部材５３３の直下に位置する、冊子１０の前後方向位置である。冊子１０は、裁断部材５３３の下側を通って、作成する冊子の前後方向長さに応じた前後方向位置に位置決めされる。
【０１３７】
冊子１０が第二裁断位置に達したのち、裁断部材５３３は可動範囲の上端部から下方に移動される。冊子１０を押圧する押え部材５３４に沿って、裁断刃５３５はその先端部がまな板５３９に到達する位置まで下方に移動する。まな板５３９の上にある冊子１０の後端面が、裁断刃５３５によって上下方向に裁断される。裁断された後端面（つまり、裁断刃５３５によって前後に分断された冊子１０の後側部分）は、自重によって本体枠２の下側に落下する。その後、裁断部材５３３は、可動範囲の上端部まで上方向に移動される。
【０１３８】
これにより、冊子１０のうちで表紙９が貼り付けられた前端面以外の用紙束端面が裁断されて、所望のサイズの冊子が作成される。ベルトコンベア５４２は、ベルト５４２Ａを回転駆動して、作成された冊子を第二裁断位置よりも後方にある排出位置まで搬送する。排出位置は、裁断ユニット５００の後端部に位置し、且つ、本体枠２よりも後側に位置する。ユーザは、排出位置まで搬送された冊子を回収する。
【０１３９】
＜１０．製本装置１の技術的特徴＞
上記実施形態に係る製本装置１の主な技術的特徴を、以下に例示する。
（１）製本装置１は、紙揃えユニット１００、糊付けユニット３００、表紙供給部６、表紙保持ユニット４００、制御部９００を備える。紙揃えユニット１００は、複数枚の用紙８Ａを上下方向に重ねた状態で保持可能であり、且つ、用紙束８を上下方向と直交する前後方向に搬送可能である。糊付けユニット３００は、紙揃えユニット１００によって搬送される用紙束８の前端面に、接着部を形成する。表紙供給部６は、表紙供給口２２に表紙９を供給可能である。表紙保持ユニット４００は、表紙供給部６によって表紙供給口２２に供給された表紙９を、糊付けユニット３００によって形成された接着部と前後方向に対向した状態で保持する。制御部９００は、表紙保持ユニット４００によって表紙９が保持された状態で、接着部が表紙９と接触する接触位置に向けて、紙揃えユニット１００によって用紙束８を搬送させる。
【０１４０】
表紙保持ユニット４００は、上クランプ４３０、下クランプ４４０、昇降モータ４５０を備える。上クランプ４３０は、表紙供給口２２に供給された表紙９の上辺部を、接触位置よりも上側で保持可能である。下クランプ４４０は、上クランプ４３０よりも下側に設けられる。下クランプ４４０は、表紙供給口２２に供給された表紙９の下辺部を、接触位置よりも下側で保持可能である。昇降モータ４５０は、上クランプ４３０および下クランプ４４０の少なくとも一方を、上下方向に移動させることが可能である。上記実施形態では、昇降モータ４５０によって下クランプ４４０が移動されている。
【０１４１】
本特徴によれば、二つのクランプ（上クランプ４３０および下クランプ４４０）は、表紙供給口２２に供給された表紙９を保持し、且つ、保持した表紙９を用紙束８が貼り付けられる位置（以下、貼付位置という。）に搬送および位置決めできる。したがって、製本装置１は、表紙９を貼付位置まで搬送する場合、従来のように表紙を多数の固定式ローラで搬送する場合と比べて、表紙９の紙詰まりを抑制できる。
【０１４２】
（２）制御部９００は、表紙供給口２２に表紙９が供給された後、且つ、用紙束８が接触位置に達する前に、昇降モータ４５０によって上クランプ４３０および下クランプ４４０の少なくとも一方を移動させる。制御部９００は、上クランプ４３０を接触位置よりも上側に位置決めし、且つ、下クランプ４４０を接触位置よりも下側に位置決めする。上記実施形態では、下クランプ４４０が昇降モータ４５０によって下基準位置に移動され、且つ、上クランプ４３０が自重によって上基準位置に移動されている。
【０１４３】
本特徴によれば、表紙供給口２２に供給された表紙９は、用紙束８が接触位置まで移動される前に、貼付位置に搬送および位置決めされる。したがって、製本装置１は、用紙束８を接触位置まで移動させることで、用紙束８の前端面に表紙９を貼り付けることができる。
【０１４４】
（３）制御部９００は、表紙供給口２２に表紙９が供給される前に、昇降モータ４５０によって上クランプ４３０および下クランプ４４０の少なくとも一方を移動させる。制御部９００は、上クランプ４３０および下クランプ４４０を、表紙供給口２２で互いに近接させる。上記実施形態では、昇降モータ４５０によって下クランプ４４０が表紙供給口２２に向けて移動され、且つ、下クランプ４４０によって上クランプ４３０が表紙供給口２２に向けて移動されている。
【０１４５】
本特徴によれば、上クランプ４３０および下クランプ４４０の離間距離が小さい状態で、表紙供給口２２に供給された表紙９が、上クランプ４３０および下クランプ４４０によって保持される。したがって、製本装置１は、上クランプ４３０および下クランプ４４０の間で、表紙９の紙詰まりが生じるおそれを低減できる。
【０１４６】
（４）制御部９００は、用紙束８が接触位置まで搬送された場合、紙揃えユニット１００によって用紙束８を接触位置から前方向に搬送させる。制御部９００は、紙揃えユニット１００によって用紙束８が接触位置から前方向に向けて搬送される場合に、上クランプ４３０によって保持されている表紙９の上辺部を開放させ、且つ、下クランプ４４０によって保持されている表紙９の下辺部を開放させる。制御部９００は、上クランプ４３０および下クランプ４４０によって表紙９の上辺部および下辺部が開放された場合に、紙揃えユニット１００によって上クランプ４３０および下クランプ４４０の少なくとも一方を、接触位置から離間する方向に移動させる。上記実施形態では、昇降モータ４５０によって下クランプ４４０が、接触位置から離間する下方向に向けて、下基準位置から移動されている。
【０１４７】
本特徴によれば、表紙９が貼り付けられた用紙束８が接触位置から前方向に搬送される場合に、表紙９の上辺部および下辺部が開放され、且つ、上クランプ４３０および下クランプ４４０の少なくとも一方が接触位置から離間する方向に移動される。用紙束８に貼り付けられた表紙９は、上クランプ４３０および下クランプ４４０からスムーズに引き離される。したがって、製本装置１は、表紙９が貼り付けられた用紙束８を、接触位置から前方向にスムーズに搬送できる。
【０１４８】
（５）上クランプ４３０は、表紙供給口２２に供給された表紙９が通過可能な操作領域４３０Ａと、操作領域４３０Ａを通過する表紙９の一部を把持可能な後板４３１および前板４３２とを備える。下クランプ４４０は、表紙供給口２２に供給された表紙９が通過可能な操作領域４４０Ａと、操作領域４４０Ａを通過する表紙９の一部を把持可能な後板４４１および前板４４２とを備える。制御部９００は、表紙供給口２２に表紙９が供給された場合、後板４４１および前板４４２によって操作領域４４０Ａを通過する表紙９の下辺部を把持させた後、後板４３１および前板４３２によって操作領域４３０Ａを通過する表紙９の上辺部を把持させる。
【０１４９】
本特徴によれば、製本装置１は、表紙９の上辺部が把持される前に、表紙９の下辺部を把持した下クランプ４４０を、上クランプ４３０から離間する下方向に移動させることができる。このとき、下クランプ４４０が表紙９を貼付位置に向けて搬送するのに伴って、表紙９の上辺部が操作領域４３０Ａに移動する。したがって、製本装置１は、従来のように多数の搬送ローラを用いることなく、表紙９を貼付位置に向けて搬送でき、且つ表紙９を貼付位置で保持できる。
【０１５０】
（６）後レール４１５，４１６は、接触位置を通って上下方向に延び、且つ、表紙９の上下方向の長さ以上である。後レール４１５，４１６は、上クランプ４３０および下クランプ４４０を上下方向に案内可能である。位置決め板４５５は、接触位置よりも上側に設けられ、上クランプ４３０の下側への移動を制限する。上クランプ４３０は、後レール４１５，４１６に沿って所定の外力（上記実施形態では、上クランプ４３０の自重）によって位置決め板４５５まで下側に移動可能である。上クランプ４３０は、上側に移動する下クランプ４４０に押圧されることによって、位置決め板４５５から上側に移動可能である。
【０１５１】
本特徴によれば、下クランプ４４０は昇降モータ４５０によって移動される一方、上クランプ４３０は所定の外力または下クランプ４４０によって移動される。したがって、製本装置１は、下クランプ４４０を昇降モータ４５０によって移動させるだけで、上クランプ４３０および下クランプ４４０を上下方向に移動でき、昇降モータ４５０の数量を抑制できる。
【０１５２】
（７）製本装置１は、テーブル１１０、前揃え板２３１、糊塗布部３４０を備える。テーブル１１０は、複数枚の用紙８Ａが供給される第一搬送位置に配置される。テーブル１１０は、供給された複数枚の用紙８Ａを載置可能な水平方向に延びる載置面１１０Ａを有する。載置面１１０Ａに載置された複数枚の用紙８Ａは、水平方向に対して直交する上下方向に重ねられる。前揃え板２３１は、載置面１１０Ａに載置された用紙束８のうちで、水平方向のうちの前方向の端面である前端面に接触可能な、上下方向に延びる後面を有する。糊塗布部３４０は、用紙束８の前側から、上下方向および前方向と直交する左右方向に沿った糊塗布領域の範囲内で、前方向とは反対方向である後方向に糊７を塗布可能である。前揃え板２３１は、用紙束８の前端面に接触することで、用紙束８の前端面を糊塗布領域の範囲内で上下方向に沿って略面一に揃える。糊塗布部３４０は、糊塗布領域の範囲内で糊７を塗布することで、前揃え板２３１によって揃えられた用紙束８の前端面に、用紙束８を被覆可能な表紙９を貼り付け可能な接着部を形成する。
【０１５３】
本特徴によれば、載置面１１０Ａに載置された用紙束８の前端面は、前揃え板２３１によって糊塗布領域の範囲内で上下方向に沿って略面一に揃えられる。糊塗布部３４０は、糊塗布領域の範囲内で糊７を塗布することで、用紙束８の前端面に接着部を形成する。したがって、製本装置１は、用紙束８の前端面が上下方向に沿って略面一に揃えられたのち、用紙束８の位置および姿勢を変化させることなく、表紙９を貼り付け可能な接着部を正確に形成できる。
【０１５４】
（８）糊塗布部３４０は、糊塗布領域の範囲内で糊７を塗布する場合に、用紙束８の前端面に対して左右方向に離間した位置（上記実施形態では、用紙束８の前端面よりも右側にある退避位置）に退避した状態から、左右方向に沿って用紙束８の前端面と対向する位置に移動する。本特徴によれば、糊塗布部３４０は左右方向への移動のみで、用紙束８の前端面に対向する位置と、用紙束８の前端面から離間した位置とに変位できる。したがって、製本装置１は、糊塗布部３４０の簡易な移動制御によって、用紙束８の前端面に接着部を形成するタイミングを調整できる。
【０１５５】
（９）制御部９００は、テーブル１１０に複数枚の用紙８Ａが供給された場合、前揃え板２３１によって用紙束８の前端面が揃えられた後、前揃え板２３１を用紙束８の前端面から離間させる。糊塗布部３４０は、制御部９００によって前揃え板２３１が用紙束８の前端面から離間された後、糊塗布領域の範囲内で糊７を塗布する。本特徴によれば、用紙束８の前端面を揃えた前揃え板２３１が退避されたのちに、糊塗布領域の範囲内で糊７が塗布される。したがって、製本装置１は、用紙束８の前端面に対する糊７の塗布が、前揃え板２３１によって妨げられることを抑制できる。
【０１５６】
（１０）制御部９００は、糊塗布部３４０によって接着部が形成された後、用紙束８を前方向に搬送する。表紙保持ユニット４００は、制御部９００によって前方向に搬送された用紙束８の接着部に表紙９を貼り付ける。本特徴によれば、接着部が形成された用紙束８は、前方向にのみ位置が変化されて、表紙９が貼り付けられる。したがって、製本装置１は、用紙束８の前端面に接着部が形成されたのち、用紙束８の姿勢を変化させることなく、用紙束８の前端面に表紙９を正確に貼り付けることができる。
【０１５７】
（１１）制御部９００は、表紙保持ユニット４００によって接着部に表紙９が貼り付けられた後、用紙束８を後方向に搬送する。裁断ユニット５００は、制御部９００によって後方向に搬送された用紙束８を裁断する。本特徴によれば、表紙９が貼り付けられた用紙束８は、後方向にのみ位置が変化されたのちに裁断される。したがって、製本装置１は、用紙束８の前端面に表紙９が貼り付けられたのち、用紙束８が上下方向を中心に回転されることなく、表紙９が貼り付けられた用紙束８を正確に裁断できる。
【０１５８】
（１２）糊受設置部３１３は、糊塗布部３４０の下方向において、糊塗布領域の範囲内で塗布された糊７のうち、落下した糊７を受ける糊受け部材３６０を設置可能である。本特徴によれば、用紙束８の前端面に付着しなかった糊７は落下して、糊受け部材３６０に収容される。したがって、製本装置１は、不要な糊７が飛散することを抑制できる。
【０１５９】
（１３）糊塗布部３４０は、少なくとも用紙束８の左右方向の長さに亘って、左右方向に移動しながら糊塗布領域の範囲内で糊７を塗布する可動体である。本特徴によれば、糊塗布部３４０は左右方向に移動しながら、用紙束８の前端面の全体に糊７を塗布する。したがって、製本装置１は、小型で省スペースの糊塗布部３４０を用いて、用紙束８の前端面の全体に糊７を塗布できる。
【０１６０】
（１４）糊塗布部３４０は、糊貯留部３４２、ローラ設置部３４３、糊塗布ローラ３５０、糊塗布口３４６を備える。糊貯留部３４２は、水平方向の断面積が下方向に向けて漸減する有底箱状であって、糊７を内部に貯留可能である。ローラ設置部３４３は、少なくとも糊貯留部３４２の下部から後方向に連通し、糊貯留部３４２に貯留された糊７が内部に流入する。糊塗布ローラ３５０は、ローラ設置部３４３の内部において、上下方向に延びる下軸３５２および上軸３５３を中心に回転する略円筒体である。糊塗布ローラ３５０は、糊貯留部３４２に貯留されている糊７が付着可能な周面３５１Ａを有する。糊塗布口３４６は、糊塗布ローラ３５０の周面３５１Ａを、ローラ設置部３４３の内部から後方向に露出させる開口である。糊塗布領域は、糊塗布口３４６から露出する糊塗布ローラ３５０の周面３５１Ａによって、糊７を塗布可能な領域である。
【０１６１】
本特徴によれば、糊貯留部３４２の内部に貯留された糊７は、糊貯留部３４２の下部に移動しやすく、且つ、糊貯留部３４２の下部からローラ設置部３４３の内部にある糊塗布ローラ３５０の周面３５１Ａに付着しやすい。糊７が付着した糊塗布ローラ３５０の周面３５１Ａは、糊塗布口３４６から外部に露出して、糊塗布領域の範囲内で糊７を塗布可能である。したがって、製本装置１は、糊塗布領域の範囲内で揃えられた用紙束８の前端面の全体に、十分な量の糊７を塗布できる。
【０１６２】
（１５）製本装置１は、テーブル１１０、糊付けユニット３００、表紙保持ユニット４００、裁断ユニット５００を備える。テーブル１１０は、供給された複数枚の用紙８Ａを保持可能な平面である載置面１１０Ａを有する。載置面１１０Ａに保持された複数枚の用紙８Ａは、載置面１１０Ａと直交する上下方向に重ねられる。テーブル１１０は、複数枚の用紙８Ａが供給される第一搬送位置を通る搬送経路に沿って、載置面１１０Ａと平行に移動可能である。糊付けユニット３００および表紙保持ユニット４００は、第一搬送位置よりも、載置面１１０Ａと平行に延びる前方向に設けられる。糊付けユニット３００および表紙保持ユニット４００は、載置面１１０Ａに保持された用紙束８の前端面を綴じることが可能である。裁断ユニット５００は、第一搬送位置よりも、前方向とは反対方向である後方向に設けられる。裁断ユニット５００は、少なくとも用紙束８の後端面を上下方向に裁断可能である。テーブル１１０は、糊付けユニット３００および表紙保持ユニット４００によって用紙束８の前端面が綴じられる第二、第三搬送位置に向けて、前方向に移動可能であり、且つ、裁断ユニット５００によって用紙束８の後端面が裁断される第四搬送位置に向けて、後方向に移動可能である。
【０１６３】
本特徴によれば、テーブル１１０は、載置面１１０Ａに複数枚の用紙８Ａが供給される第一搬送位置と、載置面１１０Ａに保持される用紙束８の前端面が綴じられる第二、第三搬送位置と、載置面１１０Ａに保持される用紙束８の後端面が裁断される第四搬送位置との間で変位可能である。第二、第三搬送位置と第四搬送位置とは、第一搬送位置を挟んで反対方向にある。載置面１１０Ａに保持された用紙束８は、左右方向に移動しないテーブル１１０の前後方向の移動のみで、前端面が綴じられ且つ後端面が裁断される。
【０１６４】
したがって、製本装置１は、装置構造の複雑化を抑制しつつ、冊子の製本および裁断を実行できる。テーブル１１０の直線方向の移動によって、載置面１１０Ａに保持された用紙束８が上下方向を中心に回転されることなく、テーブル１１０は第一搬送位置〜第四位置を最短距離で移動可能である。製本装置１は、冊子の製本および裁断を正確且つ迅速に実行できる。製本装置１は、載置面１１０Ａに用紙束８が保持されたのち、用紙束８の前端面を綴じることができ、且つ用紙束８の後端面を裁断できる。
【０１６５】
（１６）載置面１１０Ａは、載置された複数枚の用紙８Ａが上下方向に重ねられる、水平方向に延びる面である。テーブル１１０は、水平方向に延びる用紙束８を保持した状態で、前方向および後方向に移動可能である。本特徴によれば、載置面１１０Ａに保持された用紙束８は、水平方向に延びる姿勢で前端面が綴じられ、且つ水平方向に延びる姿勢で後端面が上下方向に裁断される。したがって、製本装置１は、用紙束８の後端面を重力方向に沿ってスムーズに裁断でき、且つ、裁断時に生じる紙片を自重落下によって排出できる。
【０１６６】
（１７）制御部９００は、テーブル１１０に複数枚の用紙８Ａが供給された後、テーブル１１０を第一搬送位置から第二、第三搬送位置に移動させる。制御部９００は、糊付けユニット３００および表紙保持ユニット４００によって前端面が綴じられた後、テーブル１１０を第二、第三搬送位置から第四搬送位置に移動させる。本特徴によれば、用紙束８の前端面が綴じられたのちに、用紙束８が上下方向を中心に回転されることなく搬送されて、用紙束８の後端面が裁断される。前端面が綴じられた用紙束８は、前端面が綴じられていない用紙束８よりも、用紙束８の裁断時に位置ずれが生じにくい。したがって、製本装置１は、用紙束８の後端面を正確に裁断できる。
【０１６７】
（１８）糊付けユニット３００は、テーブル１１０が第一搬送位置にある場合、載置面１１０Ａに保持された用紙束８の前端面に接着部を形成する。表紙保持ユニット４００は、テーブル１１０が第二、第三搬送位置に移動した場合、糊付けユニット３００によって形成された接着部に、用紙束８を被覆可能な表紙９を貼り付ける。本特徴によれば、製本装置１は、載置面１１０Ａに用紙束８が保持されたのち、用紙束８の位置および姿勢を変化させることなく、用紙束８の前端面に接着部を正確に形成できる。さらに、製本装置１は、用紙束８の前端面に接着部が形成されたのち、テーブル１１０を左右方向に移動させることなく前方向に移動させる簡易な制御で、用紙束８の前端面に表紙９を貼り付けることができる。
【０１６８】
（１９）裁断ユニット５００は、裁断刃５１５，５２５，５３５を備える。裁断刃５１５は、用紙束８の後端面を裁断する刃である。裁断刃５２５，５３５は、用紙束８の上下方向および後方向と直交する左右方向の端面である、左端面および右端面を裁断する刃である。本特徴によれば、用紙束８の各端面が、それぞれ対応する裁断刃５１５，５２５，５３５によって裁断される。したがって、製本装置１は、用紙束８の姿勢を変化させることなく、用紙束８の各端面を正確に裁断できる。
【０１６９】
＜１１．備考＞
上記実施形態において、前方向は、本発明の「第一方向」に相当する。用紙束８の前端面は、本発明の「用紙束端面」に相当する。前揃え板２３１は、本発明の「紙揃え手段」に相当する。左右方向は、本発明の「第二方向」に相当する。後方向は、本発明の「第三方向」に相当する。糊７は、本発明の「接着剤」に相当する。糊塗布部３４０は、本発明の「塗布手段」に相当する。制御部９００は、本発明の「紙揃え制御手段」、「第一搬送手段」、「第二搬送手段」に相当する。表紙保持ユニット４００は、本発明の「表紙貼付手段」に相当する。裁断ユニット５００は、本発明の「裁断手段」に相当する。糊受設置部３１３は、本発明の「接着剤受部」に相当する。糊貯留部３４２は、本発明の「貯留部」に相当する。ローラ設置部３４３は、本発明の「設置部」に相当する。糊塗布ローラ３５０は、本発明の「塗布ローラ」に相当する。糊塗布口３４６は、本発明の「塗布口」に相当する。
【０１７０】
本発明は、上記実施形態に限定されるものではなく、以下に例示するように種々の変更が可能である。
（Ａ）少なくとも上記（１）〜（６）の各技術的特徴は、以下のように変形してもよい。紙揃えユニット１００は、複数枚の用紙を第一方向に重ねた状態で保持可能であり、且つ、複数枚の用紙が重ねられた用紙束を、第一方向と直交する第二方向に搬送可能であればよい。例えば紙揃えユニット１００は、用紙束を搬送可能なキャリッジ、搬送ローラ、ベルトコンベア等でもよい。第一方向は、上下方向に限定されず、例えば左右方向または前後方向でもよい。第二方向は、前後方向に限定されず、例えば左右方向または上下方向でもよい。
【０１７１】
糊付けユニット３００は、紙揃えユニット１００によって搬送される用紙束の第二方向の端面に、接着部を形成できればよい。例えば糊付けユニット３００は、接着部として両面テープを貼り付ける機構でもよい。表紙供給部６は、所定の供給位置に用紙束を被覆可能な表紙を供給可能であればよい。表紙供給部６は、表紙を供給するプリンタ、キャリッジ、搬送ローラ、ベルトコンベア等でもよい。所定の供給位置は、表紙供給口２２に限定されず、表紙保持ユニット４００に表紙９を供給可能な位置であればよい。表紙保持ユニット４００は、表紙供給部６によって供給位置に供給された表紙を、糊付けユニット３００によって形成された接着部と第二方向に対向した状態で保持できればよい。例えば表紙保持ユニット４００は、表紙を保持可能な手段（例えば、クリップ、吸引部、接着部等）を備えた機構でもよい。表紙保持ユニット４００は、上クランプ４３０および下クランプ４４０に相当するクランプを、三つ以上備えてもよい。
【０１７２】
上クランプ４３０は、供給位置に供給された表紙の一端側を、接触位置よりも第一方向の一方側で保持可能であればよい。下クランプ４４０は、上クランプ４３０よりも第一方向の他方側に設けられ、供給位置に供給された表紙の他端側を、接触位置よりも第一方向の他方側で保持可能であればよい。例えば上クランプ４３０および下クランプ４４０は、表紙の一部を保持可能なクリップ、吸引部、接着部等でもよい。上記実施形態では、上クランプ４３０が所定の外力および下クランプ４４０によって移動可能である場合を例示した。これに代えて、下クランプ４４０が所定の外力および上クランプ４３０によって移動可能であってもよい。昇降モータ４５０によって移動されない上クランプ４３０は、所定位置（例えば、上基準位置）に固定されてもよい。所定の外力は、自重に限定されず、例えばバネ圧、磁力等でもよい。
【０１７３】
昇降モータ４５０は、上クランプ４３０および下クランプ４４０の少なくとも一方を、第一方向に移動させることが可能であればよい。例えば昇降モータ４５０は、ソレノイド、ジャッキ、エンジン等でもよい。上記実施形態では、昇降モータ４５０が下クランプ４４０を移動させる場合を例示した。これに代えて、昇降モータ４５０は上クランプ４３０を移動させてもよいし、上クランプ４３０および下クランプ４４０の両方を移動させてもよい。
【０１７４】
（Ｂ）少なくとも上記（７）〜（１４）の各技術的特徴は、以下のように変形してもよい。前揃え板２３１は、テーブルの載置面に載置された複数枚の用紙である用紙束のうちで、水平方向のうちの第一方向の端面である用紙束端面に接触可能な、上下方向に延びる面部を有していればよい。例えば前揃え板２３１は、上下方向に延びる面部を有する直方体状でもよい。前揃え板２３１は、用紙束端面の全体に接触可能な面部を有するものに限定されず、少なくとも用紙束端面の一部において上下方向に亘って接触可能な面部を有していればよい。第一方向は、前方向に限定されず、例えば左方向、右方向、後方向でもよい。
【０１７５】
糊塗布部３４０は、用紙束の第一方向の側から、上下方向および第一方向と直交する第二方向に沿った所定領域の範囲内で、第一方向とは反対方向である第三方向に接着剤を塗布可能であればよい。例えば糊塗布部３４０は、接着剤を吹き付ける機構でもよい。第二方向は、左右方向に限定されず、例えば前後方向でもよい。第三方向は、後方向に限定されず、例えば左方向、右方向、前方向でもよい。接着剤は、糊７に限定されず、接着成分を含む液体であればよい。
【０１７６】
（Ｃ）少なくとも上記（１５）〜（１９）の各技術的特徴は、以下のように変形してもよい。テーブル１１０は、供給された複数枚の用紙を保持可能な平面である載置面を有し、載置面に保持された複数枚の用紙が載置面と直交する直交方向に重ねられればよい。テーブル１１０は、複数枚の用紙が供給される供給位置を通る搬送経路に沿って、載置面と平行に移動可能であればよい。例えばテーブル１１０は、載置面に用紙束を保持した状態で移動可能なキャリッジ、搬送ローラ、ベルトコンベア等でもよい。直交方向は、上下方向に限定されず、例えば前後方向または左右方向でもよい。直交方向が前後方向または左右方向である場合、テーブル１１０は載置面に用紙束を保持した状態で、供給位置を挟んで上下方向に設けられた綴じ位置および裁断位置に向けて、上下方向に移動されればよい。
【０１７７】
糊付けユニット３００および表紙保持ユニット４００は、供給位置よりも第一方向に設けられればよい。第一方向は、載置面と平行に延びる一方向であればよい。糊付けユニット３００および表紙保持ユニット４００は、載置面に保持された複数枚の用紙である用紙束の第一方向の端面である第一用紙束端面を綴じることが可能であればよい。第一方向は、前方向に限定されず、左方向、右方向、後方向でもよい。上記実施形態では、糊付けユニット３００および表紙保持ユニット４００が、第一用紙束端面に表紙を接着剤で貼り付ける場合を例示した。これに代えて、糊付けユニット３００および表紙保持ユニット４００は、第一用紙束端面に表紙を糸または針金で取り付ける機構でもよい。
【０１７８】
裁断ユニット５００は、供給位置よりも第二方向に設けられればよい。第二方向は、第一方向とは反対方向であればよい。裁断ユニット５００は、少なくとも用紙束の第二方向の端面である第二用紙束端面を、直交方向に裁断可能であればよい。第二方向は、後方向に限定されず、左方向、右方向、前方向でもよい。上記実施形態では、裁断ユニット５００が、第二用紙束端面を裁断する後裁断部５３０と、第三用紙束端面を裁断する左裁断部５１０および右裁断部５２０とを備えた場合を例示した。第三用紙束端面は、用紙束の直交方向および第二方向と直交する第三方向の端面である。これに代えて、裁断ユニット５００は、後裁断部５３０のみを備えてもよいし、さらに左裁断部５１０および右裁断部５２０の一方を備えてもよい。
【０１７９】
（Ｄ）制御部９００は、少なくとも上記（１）〜（１９）の各技術的特徴に係る制御を実行可能なコンピュータ（例えば、パソコン、マイコン、ＡＳＩＣ）であればよい。
【０１８０】
（Ｅ）製本装置１では、第一プリンタ３、第二プリンタ４、紙揃えユニット１００、束操作ユニット２００、糊付けユニット３００、表紙保持ユニット４００、裁断ユニット５００の配置が変更されてもよい。この場合、上記実施形態に例示したように、第一プリンタ３、第二プリンタ４、束操作ユニット２００、糊付けユニット３００、表紙保持ユニット４００、裁断ユニット５００は、各々が紙揃えユニット１００と隣り合うように、紙揃えユニット１００を中心に配置されることが好適である。これにより、製本装置１は、冊子１０の製本動作（つまり、用紙束８の形成、糊付け、包み製本、裁断に亘る一連の動作）を実行する際に、用紙束８が保持されるテーブル１１０の移動距離が長くなることを抑制できる。つまり、上記の各機構を備えた製本装置１を、コンパクトにすることが可能となる。
【符号の説明】
【０１８１】
１    製本装置
７    糊
８    用紙束
８Ａ    用紙
２２    表紙供給口
１１０    テーブル
１１０Ａ    載置面
２３１    前揃え板
３１３    糊受設置部
３４０    糊塗布部
３４２    糊貯留部
３４３    ローラ設置部
３４６    糊塗布口
３５０    糊塗布ローラ
４００    表紙保持ユニット
５００    裁断ユニット
９００    制御部
【図１】
2014198442.tif 000003
【図２】
2014198442.tif 000004
【図３】
2014198442.tif 000005
【図４】
2014198442.tif 000006
【図５】
2014198442.tif 000007
【図６】
2014198442.tif 000008
【図７】
2014198442.tif 000009
【図８】
2014198442.tif 000010
【図９】
2014198442.tif 000011
【図１０】
2014198442.tif 000012
【図１１】
2014198442.tif 000013
【図１２】
2014198442.tif 000014
【図１３】
2014198442.tif 000015
【図１４】
2014198442.tif 000016
【図１５】
2014198442.tif 000017
【図１６】
2014198442.tif 000018
【図１７】
2014198442.tif 000019
【図１８】
2014198442.tif 000020
【図１９】
2014198442.tif 000021
【図２０】
2014198442.tif 000022
【図２１】
2014198442.tif 000023
【図２２】
2014198442.tif 000024
【図２３】
2014198442.tif 000025
【図２４】
2014198442.tif 000026
【図２５】
2014198442.tif 000027
【図２６】
2014198442.tif 000028
【図２７】
2014198442.tif 000029
【図２８】
2014198442.tif 000030
【図２９】
2014198442.tif 000031
【図３０】
2014198442.tif 000032